(57)【要約】【課題】空気中の放射性有機ヨウ素を捕集かつ吸着することができ、着用者の体内への放射性有機ヨウ素の進入を防ぐことができる使い捨てマスクを提供する。【解決手段】使い捨てマスク１０Ａは、着用者の口および鼻を覆うフィルタ部材１１と、フィルタ部材１１を着用者の顔面に固定する耳掛け部材１２とを有する。フィルタ部材１１は、複数の活性炭素繊維から作られたヨウ素捕集シートと、ヨウ素捕集シートの肌対向面に重なる所定面積の第１の異物除去シートと、ヨウ素捕集シートの肌非対向面に重なる所定面積の第２の異物除去シートとから形成されている。活性炭素繊維には、放射性有機ヨウ素を吸着する吸着剤が添着されている。【選択図】図１
2014073358.tif 000002
【特許請求の範囲】
【請求項１】
着用者の口および鼻を覆うフィルタ部材と、前記フィルタ部材を着用者の顔面に固定する装着部材とを有する使い捨てマスクにおいて、
前記フィルタ部材が、複数の活性炭素繊維から作られて空気に含まれる放射性有機ヨウ素を捕集する所定面積の少なくとも１枚のヨウ素捕集シートから形成され、前記ヨウ素捕集シートが、通気性を有する繊維不織布と織物と編み物とのうちのいずれかであり、前記放射性有機ヨウ素を吸着する吸着剤が、前記ヨウ素捕集シートを作るそれら活性炭素繊維に添着されていることを特徴とする放射性有機ヨウ素を捕集・吸着可能な使い捨てマスク。
【請求項２】
前記フィルタ部材が、前記着用者の肌側に位置して前記ヨウ素捕集シートの肌対向面に重なる所定面積の第１の異物除去シートを含み、前記第１の異物除去シートが、複数の熱可塑性合成樹脂繊維から作られた通気性を有する繊維不織布であり、前記ヨウ素捕集シートが、前記第１の異物除去シートの肌非対向面に固着されている請求項１に記載の放射性有機ヨウ素を捕集・吸着可能な使い捨てマスク。
【請求項３】
前記フィルタ部材が、前記着用者の非肌側に位置して前記ヨウ素捕集シートの肌非対向面に重なる所定面積の第２の異物除去シートを含み、前記第２の異物除去シートが、複数の熱可塑性合成樹脂繊維から作られた通気性を有する繊維不織布であり、前記ヨウ素捕集シートが、前記第１の異物除去シートと前記第２の異物除去シートとの間に介在し、それら異物除去シートの肌対向面と肌非対向面とに固着されている請求項２に記載の放射性有機ヨウ素を捕集・吸着可能な使い捨てマスク。
【請求項４】
前記フィルタ部材が、前記着用者の肌側に位置して前記ヨウ素捕集シートの肌対向面に重なる所定面積の第１の異物除去シートと、前記着用者の非肌側に位置して前記ヨウ素捕集シートの肌非対向面に重なる所定面積の第２の異物除去シートとを含み、それら異物除去シートが、複数の熱可塑性合成樹脂繊維から作られた通気性を有する繊維不織布であり、前記ヨウ素捕集シートが、前記第１の異物除去シートと前記第２の異物除去シートとの間に形成されたポケットに挿脱可能に収納される請求項１に記載の放射性有機ヨウ素を捕集・吸着可能な使い捨てマスク。
【請求項５】
前記フィルタ部材が、前記ヨウ素捕集シートの肌対向面と非肌対向面との全域を包被する異物除去袋を含み、前記異物除去袋が、複数の熱可塑性合成樹脂繊維から作られた通気性を有するシート状の繊維不織布であり、前記ヨウ素捕集シートが、前記異物除去袋の内部に遊動可能に収納されている請求項１に記載の放射性有機ヨウ素を捕集・吸着可能な使い捨てマスク。
【請求項６】
前記ヨウ素捕集シートが、横方向と縦方向とのいずれか一方へ起伏を繰り返すようにジグザグに整然と折り曲げられ、横方向と縦方向とのいずれか一方へ並ぶ複数の山部と複数の谷部とを有する請求項１ないし請求項５いずれかに記載の放射性有機ヨウ素を捕集・吸着可能な使い捨てマスク。
【請求項７】
前記ヨウ素捕集シートが、横方向と縦方向とのいずれか一方へ起伏を繰り返すようにジグザグに整然と折り曲げられて横方向と縦方向とのいずれか一方へ並ぶ複数の山部と複数の谷部とを有する少なくとも２枚のヨウ素捕集シートから形成されている請求項１ないし請求項５いずれかに記載の放射性有機ヨウ素を捕集・吸着可能な使い捨てマスク。
【請求項８】
前記ヨウ素捕集シートを作る活性炭素繊維の平均繊維径が、５〜２０μｍの範囲、前記ヨウ素捕集シートの１枚の目付が、５０〜２００ｇ／ｍ２の範囲にあり、前記ヨウ素捕集シートの１枚の厚み寸法が、０．５〜３ｍｍの範囲にある請求項１ないし請求項７いずれかに記載の放射性有機ヨウ素を捕集・吸着可能な使い捨てマスク。
【請求項９】
前記第１の異物除去シートおよび前記第２の異物除去シートの少なくとも一方が、複数の吸水性繊維を含有し、前記異物除去シートの全重量に対する前記吸水性繊維の比率が、１０〜２０重量％の範囲にある請求項３ないし請求項８いずれかに記載の放射性有機ヨウ素を捕集・吸着可能な使い捨てマスク。
【請求項１０】
前記第１の異物除去シートおよび前記第２の異物除去シートの少なくとも一方が、複数の吸水性繊維から作られて異物除去シートの肌対向面と肌非対向面との少なくとも一方に重なる吸水性繊維不織布を含む請求項３ないし請求項８いずれかに記載の放射性有機ヨウ素を捕集・吸着可能な使い捨てマスク。
【請求項１１】
前記第１の異物除去シートおよび前記第２の異物除去シートの少なくとも一方が、複数の抗菌性繊維を含有し、前記異物除去シートの全重量に対する前記抗菌性繊維の比率が、５〜１０重量％の範囲にある請求項３ないし請求項１０いずれかに記載の放射性有機ヨウ素を捕集・吸着可能な使い捨てマスク。
【請求項１２】
前記第１の異物除去シートを作る熱可塑性合成樹脂繊維と前記第２の異物除去シートを作る熱可塑性合成樹脂繊維とのうちの少なくとも一方が、エレクトレット化されている請求項３ないし請求項１１いずれかに記載の放射性有機ヨウ素を捕集・吸着可能な使い捨てマスク。
【請求項１３】
前記第１の異物除去シート作る熱可塑性合成樹脂繊維の平均繊維径が、３〜５０μｍの範囲、前記第２の異物除去シートを作る熱可塑性合成樹脂繊維の平均繊維径が、０．５〜３０μｍの範囲にあり、前記第１の異物除去シートの１枚の目付が、１．５〜５０ｇ／ｍ２の範囲、前記第２の異物除去シートの１枚の目付が、１０〜１００ｇ／ｍ２の範囲にあり、前記第１の異物除去シートの１枚の厚み寸法が、０．２〜３ｍｍの範囲、前記第２の異物除去シートの１枚の厚み寸法が、０．５〜３ｍｍの範囲にある請求項３ないし請求項１２いずれかに記載の放射性有機ヨウ素を捕集・吸着可能な使い捨てマスク。
【請求項１４】
前記吸着剤が、ヨウ化カリウムとヨウ素酸カリウムとのうちの少なくとも一方であり、前記活性炭素繊維の単位重量（ｋｇ）に対する前記ヨウ化カリウムと前記ヨウ素酸カリウムとの添着量が、１０〜２５重量％／ｋｇの範囲にあり、前記空気の湿度９５％における前記ヨウ素捕集シートの放射性有機ヨウ素除去効率が、８５〜９０％の範囲にある請求項１ないし請求項１３いずれかに記載の放射性有機ヨウ素を捕集・吸着可能な使い捨てマスク。
【請求項１５】
前記吸着剤が、アミン類であり、前記活性炭素繊維の単位重量（ｋｇ）に対する前記アミン類の添着量が、１０〜２０重量％／ｋｇの範囲にあり、空気の湿度９５％における前記ヨウ素捕集シートの放射性有機ヨウ素捕集効率が、９５％以上である請求項１ないし請求項１４いずれかに記載の放射性有機ヨウ素を捕集・吸着可能な使い捨てマスク。
【請求項１６】
前記アミン類が、トリエチレンジアミンＣ６Ｈ１２Ｎ２である請求項１５に記載の放射性有機ヨウ素を捕集・吸着可能な使い捨てマスク。
【発明の詳細な説明】
【技術分野】
【０００１】
本発明は、着用者の口および鼻を覆うフィルタ部材とフィルタ部材を着用者の顔面に固定する装着部材とを有する使い捨てマスクに関する。
【背景技術】
【０００２】
口や鼻を覆うとともに通気性を有するシート材から作られたマスク本体部と、マスク本体部に連結されて顔面に装着するための装着部と、マスク本体部に形成されて液剤を含浸させたマスク用フィルタを挿脱自在に収納するフィルタポケット部とを備え、フィルタポケット部のポケット内側におけるマスク用フィルタが当接する面の両面に合成繊維から作られた高空隙シートを設けたマスクが開示されている（特許文献１参照）。液剤としては、水、喉に潤いを付与する薬効成分を混入した水、鼻腔の通りを良くする薬効成分を混入した水が使用される。
【先行技術文献】
【特許文献】
【０００３】
【特許文献１】特開２００４−７３２２７号公報
【発明の概要】
【発明が解決しようとする課題】
【０００４】
前記特許文献１に開示のマスクは、空気中の塵埃や花粉等の異物を吸着することができるとともに、湿った空気を呼気可能な充分な量の液剤を長時間保持することができ、それを着用した着用者が塵埃や花粉等の異物を吸飲することはなく、さらに、マスク用フィルタに含浸された液剤を介して湿った空気を吸飲することができ、口内や喉の乾燥を防ぐことができる。しかし、このマスクは、空気中に放射性有機ヨウ素が含まれていた場合、その着用中に放射性有機ヨウ素を捕集することはなく、放射性有機ヨウ素を吸着することはないから、放射性有機ヨウ素がマスクを通り抜けて着用者の体内に吸飲されてしまう場合がある。
【０００５】
本発明の目的は、空気中に放射性有機ヨウ素が含まれていたとしても、その放射性有機ヨウ素を捕集かつ吸着することができ、空気中の放射性有機ヨウ素が通過することはなく、着用者の体内への放射性有機ヨウ素の進入を防ぐことができる使い捨てマスクを提供することにある。
【課題を解決するための手段】
【０００６】
前記課題を解決するための本発明の前提は、着用者の口および鼻を覆うフィルタ部材と、フィルタ部材を着用者の顔面に固定する装着部材とを有する使い捨てマスクである。
【０００７】
前記前提における本発明の特徴は、フィルタ部材が複数の活性炭素繊維から作られて空気に含まれる放射性有機ヨウ素を捕集する所定面積の少なくとも１枚のヨウ素捕集シートから形成され、ヨウ素捕集シートが通気性を有する繊維不織布と織物と編み物とのうちのいずれかであり、放射性有機ヨウ素を吸着する吸着剤がヨウ素捕集シートを作るそれら活性炭素繊維に添着されていることにある。
【０００８】
本発明の一例としては、フィルタ部材が着用者の肌側に位置してヨウ素捕集シートの肌対向面に重なる所定面積の第１の異物除去シートを含み、第１の異物除去シートが複数の熱可塑性合成樹脂繊維から作られた通気性を有する繊維不織布であり、ヨウ素捕集シートが第１の異物除去シートの肌非対向面に固着されている。
【０００９】
本発明の他の一例としては、フィルタ部材が着用者の非肌側に位置してヨウ素捕集シートの肌非対向面に重なる所定面積の第２の異物除去シートを含み、第２の異物除去シートが複数の熱可塑性合成樹脂繊維から作られた通気性を有する繊維不織布であり、ヨウ素捕集シートが第１の異物除去シートと第２の異物除去シートとの間に介在し、それら異物除去シートの肌対向面と肌非対向面とに固着されている。
【００１０】
本発明の他の一例としては、フィルタ部材が、着用者の肌側に位置してヨウ素捕集シートの肌対向面に重なる所定面積の第１の異物除去シートと、着用者の非肌側に位置してヨウ素捕集シートの肌非対向面に重なる所定面積の第２の異物除去シートとを含み、それら異物除去シートが複数の熱可塑性合成樹脂繊維から作られた通気性を有する繊維不織布であり、ヨウ素捕集シートが第１の異物除去シートと第２の異物除去シートとの間に形成されたポケットに挿脱可能に収納される。
【００１１】
本発明の他の一例としては、フィルタ部材がヨウ素捕集シートの肌対向面と非肌対向面との全域を包被する異物除去袋を含み、異物除去袋が複数の熱可塑性合成樹脂繊維から作られた通気性を有するシート状の繊維不織布であり、ヨウ素捕集シートが異物除去袋の内部に遊動可能に収納されている。
【００１２】
本発明の他の一例としては、ヨウ素捕集シートが、横方向と縦方向とのいずれか一方へ起伏を繰り返すようにジグザグに整然と折り曲げられ、横方向と縦方向とのいずれか一方へ並ぶ複数の山部と複数の谷部とを有する。
【００１３】
本発明の他の一例としては、ヨウ素捕集シートが、横方向と縦方向とのいずれか一方へ起伏を繰り返すようにジグザグに整然と折り曲げられて横方向と縦方向とのいずれか一方へ並ぶ複数の山部と複数の谷部とを有する少なくとも２枚のヨウ素捕集シートから形成されている。
【００１４】
本発明の他の一例としては、ヨウ素捕集シートを作る活性炭素繊維の平均繊維径が５〜２０μｍの範囲、ヨウ素捕集シートの１枚の目付が５０〜２００ｇ／ｍ２の範囲にあり、ヨウ素捕集シートの１枚の厚み寸法が０．５〜３ｍｍの範囲にある。
【００１５】
本発明の他の一例としては、第１の異物除去シートおよび第２の異物除去シートの少なくとも一方が複数の吸水性繊維を含有し、異物除去シートの全重量に対する吸水性繊維の比率が１０〜２０重量％の範囲にある。
【００１６】
本発明の他の一例としては、第１の異物除去シートおよび第２の異物除去シートの少なくとも一方が複数の吸水性繊維から作られて異物除去シートの肌対向面と肌非対向面との少なくとも一方に重なる吸水性繊維不織布を含む。
【００１７】
本発明の他の一例としては、第１の異物除去シートおよび第２の異物除去シートの少なくとも一方が複数の抗菌性繊維を含有し、異物除去シートの全重量に対する抗菌性繊維の比率が５〜１０重量％の範囲にある。
【００１８】
本発明の他の一例としては、第１の異物除去シートを作る熱可塑性合成樹脂繊維と第２の異物除去シートを作る熱可塑性合成樹脂繊維とのうちの少なくとも一方がエレクトレット化されている。
【００１９】
本発明の他の一例としては、第１の異物除去シート作る熱可塑性合成樹脂繊維の平均繊維径が３〜５０μｍの範囲、第２の異物除去シートを作る熱可塑性合成樹脂繊維の平均繊維径が０．５〜３０μｍの範囲にあり、第１の異物除去シートの１枚の目付が１．５〜５０ｇ／ｍ２の範囲、第２の異物除去シートの１枚の目付が１０〜１００ｇ／ｍ２の範囲にあり、第１の異物除去シートの１枚の厚み寸法が０．２〜３ｍｍの範囲、第２の異物除去シートの１枚の厚み寸法が０．５〜３ｍｍの範囲にある。
【００２０】
本発明の他の一例としては、吸着剤がヨウ化カリウムとヨウ素酸カリウムとのうちの少なくとも一方であり、活性炭素繊維の単位重量（ｋｇ）に対するヨウ化カリウムと前記ヨウ素酸カリウムとの添着量が１０〜２５重量％／ｋｇの範囲にあり、空気の湿度９５％におけるヨウ素捕集シートの放射性有機ヨウ素除去効率が８５〜９０％の範囲にある。
【００２１】
本発明の他の一例としては、吸着剤がアミン類であり、活性炭素繊維の単位重量（ｋｇ）に対するアミン類の添着量が１０〜２０重量％／ｋｇの範囲にあり、空気の湿度９５％におけるヨウ素捕集シートの放射性有機ヨウ素捕集効率が９５％以上である。
【００２２】
本発明の他の一例としては、アミン類がトリエチレンジアミンＣ６Ｈ１２Ｎ２である。
【発明の効果】
【００２３】
本発明にかかる放射性有機ヨウ素を捕集・吸着可能な使い捨てマスクによれば、ヨウ素捕集シートを作る複数の活性炭素繊維が放射性有機ヨウ素を捕集し、それら活性炭素繊維に添着された吸着剤が放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。使い捨てマスクは、それが所定濃度の放射性有機ヨウ素を捕集・吸着した後、直ちに廃棄される使い捨てであり、活性炭素繊維に捕集されかつ吸着剤に吸着された放射性有機ヨウ素が活性炭素繊維や吸着剤から再び放出されることはなく、放射性有機ヨウ素のマスクから他所への拡散を防ぐことができるとともに、廃棄されたマスクに放射性有機ヨウ素を捕集・吸着させた状態でその半減期を安全に迎えることができる。
【００２４】
フィルタ部材が着用者の肌側に位置してヨウ素捕集シートの肌対向面に重なる所定面積の第１の異物除去シートを含み、第１の異物除去シートが複数の熱可塑性合成樹脂繊維から作られた通気性を有する繊維不織布であり、ヨウ素捕集シートが第１の異物除去シートの肌非対向面に固着された使い捨てマスクは、第１の異物除去シートによって塵埃や花粉、雑菌、ウイルス等の異物が捕集され、マスクを着用した着用者の体内へのそれら異物の進入を防ぐことができる。使い捨てマスクは、異物除去シートを介して塵埃や花粉、雑菌、ウイルス等の異物の体内への進入を防ぐことができるのみならず、ヨウ素捕集シートを作る複数の活性炭素繊維が放射性有機ヨウ素を捕集し、それら活性炭素繊維に添着された吸着剤が放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。
【００２５】
フィルタ部材が着用者の非肌側に位置してヨウ素捕集シートの肌非対向面に重なる所定面積の第２の異物除去シートを含み、第２の異物除去シートが複数の熱可塑性合成樹脂繊維から作られた通気性を有する繊維不織布であり、ヨウ素捕集シートが第１の異物除去シートと第２の異物除去シートとの間に介在し、それら異物除去シートの肌対向面と肌非対向面とに固着された使い捨てマスクは、第１および第２の異物除去シートによって塵埃や花粉、雑菌、ウイルス等の異物が捕集され、ヨウ素捕集シートへの塵埃や花粉の付着を防ぐことができるのみならず、マスクを着用した着用者の体内へのそれら異物の進入を防ぐことができる。使い捨てマスクは、第１および第２の異物除去シートを介して塵埃や花粉、雑菌、ウイルス等の異物の体内への進入を防ぐことができるのみならず、ヨウ素捕集シートを作る複数の活性炭素繊維が放射性有機ヨウ素を捕集し、それら活性炭素繊維に添着された吸着剤が放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。
【００２６】
フィルタ部材が着用者の肌側に位置してヨウ素捕集シートの肌対向面に重なる所定面積の第１の異物除去シートと着用者の非肌側に位置してヨウ素捕集シートの肌非対向面に重なる所定面積の第２の異物除去シートとを含み、それら異物除去シートが複数の熱可塑性合成樹脂繊維から作られた通気性を有する繊維不織布であり、ヨウ素捕集シートが第１の異物除去シートと第２の異物除去シートとの間に形成されたポケットに挿脱可能に収納される使い捨てマスクは、ポケットを形成する第１および第２の異物除去シートによって塵埃や花粉、雑菌、ウイルス等の異物が捕集され、ヨウ素捕集シートへの塵埃や花粉の付着を防ぐことができるのみならず、マスクを着用した着用者の体内へのそれら異物の進入を防ぐことができる。使い捨てマスクは、第１および第２の異物除去シートを介して塵埃や花粉、雑菌、ウイルス等の異物の体内への進入を防ぐことができるのみならず、ヨウ素捕集シートを作る複数の活性炭素繊維が放射性有機ヨウ素を捕集し、それら活性炭素繊維に添着された吸着剤が放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。使い捨てマスクは、ヨウ素捕集シートがポケットに挿脱可能であり、所定濃度の放射性有機ヨウ素を捕集・吸着したヨウ素捕集シートをポケットから取り出し、あらたなヨウ素捕集シートをポケットに収納することができるから、ヨウ素捕集シートを交換することでマスクを複数回使用することができ、マスクの使用期間を延ばすことができる。
【００２７】
フィルタ部材がヨウ素捕集シートの肌対向面と非肌対向面との全域を包被する異物除去袋を含み、異物除去袋が複数の熱可塑性合成樹脂繊維から作られた通気性を有するシート状の繊維不織布であり、ヨウ素捕集シートが異物除去袋の内部に遊動可能に収納されている使い捨てマスクは、ヨウ素捕集シートを収納する異物除去袋によって塵埃や花粉、雑菌、ウイルス等の異物が捕集され、ヨウ素捕集シートへの塵埃や花粉の付着を防ぐことができるのみならず、マスクを着用した着用者の体内へのそれら異物の進入を防ぐことができる。使い捨てマスクは、異物除去袋を介して塵埃や花粉、雑菌、ウイルス等の異物の体内への進入を防ぐことができるのみならず、ヨウ素捕集シートを作る複数の活性炭素繊維が放射性有機ヨウ素を捕集し、それら活性炭素繊維に添着された吸着剤が放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。
【００２８】
ヨウ素捕集シートが横方向と縦方向とのいずれか一方へ起伏を繰り返すようにジグザグに整然と折り曲げられ、横方向と縦方向とのいずれか一方へ並ぶ複数の山部と複数の谷部とを有する使い捨てマスクは、ヨウ素捕集シートを横方向または縦方向へジグザグに折り曲げることで、折り曲げることがないヨウ素捕集シートと比較し、ヨウ素捕集シートの嵩を稼ぐことができ、その分捕集シートの目付や表面積が増加し、捕集シートの放射性有機ヨウ素に対する捕集性能や吸着性能が向上し、空気中に放射性有機ヨウ素が含まれていたとしても、マスクに放射性有機ヨウ素を確実に捕集かつ吸着させることができ、マスクを着用した着用者の体内への放射性有機ヨウ素の進入を確実に防ぐことができる。
【００２９】
ヨウ素捕集シートが横方向と縦方向とのいずれか一方へ起伏を繰り返すようにジグザグに整然と折り曲げられて横方向と縦方向とのいずれか一方へ並ぶ複数の山部と複数の谷部とを有する少なくとも２枚のヨウ素捕集シートから形成された使い捨てマスクは、たとえば、ヨウ素捕集シートを横方向へジグザグに折り曲げたそれと縦方向へジグザグに折り曲げたそれとから形成することで、折り曲げることがないヨウ素捕集シートと比較し、ヨウ素捕集シートの嵩を稼ぐことができ、その分捕集シートの目付や表面積が増加し、捕集シートの放射性有機ヨウ素に対する捕集性能や吸着性能が向上し、空気中に放射性有機ヨウ素が含まれていたとしても、マスクに放射性有機ヨウ素を確実に捕集かつ吸着させることができ、マスクを着用した着用者の体内への放射性有機ヨウ素の進入を確実に防ぐことができる。
【００３０】
ヨウ素捕集シートを作る活性炭素繊維の平均繊維径が５〜２０μｍの範囲、ヨウ素捕集シートの１枚の目付が５０〜２００ｇ／ｍ２の範囲にあり、ヨウ素捕集シートの１枚の厚み寸法が０．３〜３ｍｍの範囲にある使い捨てマスクは、ヨウ素捕集シートの目付が前記範囲にあるから、捕集シートの放射性有機ヨウ素に対する捕集性能や吸着性能が高く、空気中の放射性有機ヨウ素を活性炭素繊維に確実に捕集させることができるとともに、放射性有機ヨウ素を吸着剤に確実に吸着させることができ、放射性有機ヨウ素がマスクを通過することはなく、マスクを着用した着用者の体内への放射性有機ヨウ素の進入を確実に防ぐことができる。使い捨てマスクは、ヨウ素捕集シートの厚み寸法が前記範囲にあるから、マスクが嵩張ることがなく、マスクの着用感の低下を防ぐことができ、マスクを着用した着用者に不快感を与えることがない。
【００３１】
第１の異物除去シートおよび第２の異物除去シートの少なくとも一方が複数の吸水性繊維を含有し、異物除去シートの全重量に対する吸水性繊維の比率が１０〜３０重量％の範囲にある使い捨てマスクは、それら異物除去シートを通過する空気中に含まれる湿気や着用者の呼気に含まれる湿気が吸水性繊維に吸着され、捕集シートを作る活性炭素繊維の乾燥状態を維持することができ、活性炭素繊維に添着された吸着剤が空気中の湿気や着用者の呼気に含まれる湿気によって活性炭素繊維から脱落することはなく、湿気によって活性炭素繊維の表面がぬれることはないから、放射性有機ヨウ素に対する活性炭素繊維の捕集機能の低下を防ぐことができるとともに、放射性有機ヨウ素に対する吸着剤の吸着機能の低下を防ぐことができる。
【００３２】
第１の異物除去シートおよび第２の異物除去シートの少なくとも一方が複数の吸水性繊維から作られて異物除去シートの肌対向面と肌非対向面との少なくとも一方に重なる吸水性繊維不織布を含む使い捨てマスクは、それら異物除去シートを通過する空気中に含まれる湿気や着用者の呼気に含まれる湿気が吸水性繊維不織布に吸着され、捕集シートを作る活性炭素繊維の乾燥状態を維持することができ、活性炭素繊維に添着された吸着剤が空気中の湿気や着用者の呼気に含まれる湿気によって活性炭素繊維から脱落することはなく、湿気によって活性炭素繊維の表面がぬれることはないから、放射性有機ヨウ素に対する活性炭素繊維の捕集機能の低下を防ぐことができるとともに、放射性有機ヨウ素に対する吸着剤の吸着機能の低下を防ぐことができる。
【００３３】
第１の異物除去シートおよび第２の異物除去シートの少なくとも一方が複数の抗菌性繊維を含有し、異物除去シートの全重量に対する前記抗菌性繊維の比率が５〜１０重量％の範囲にある使い捨てマスクは、それら異物除去シートを通過する空気中に含まれる雑菌やウイルスが抗菌性繊維によって殺菌または除菌されるから、着用者の体内への雑菌やウイルスの進入を防ぐことができる。また、着用者の呼気に含まれる雑菌やウイルスが抗菌性繊維によって殺菌または除菌されるから、マスクの外部への雑菌やウイルスの放出を防ぐことができる。
【００３４】
第１の異物除去シートを作る熱可塑性合成樹脂繊維と前記第２の異物除去シートを作る熱可塑性合成樹脂繊維とのうちの少なくとも一方がエレクトレット化された使い捨てマスクは、第１の異物除去シートや第２の異物除去シートの静電作用によって異物除去シートに進入した塵埃や花粉等の異物が異物除去シートに効率よく捕集されるから、ヨウ素捕集シートへの塵埃や花粉の付着を確実に防ぐことができるのみならず、着用者の体内への塵埃や花粉等の異物の進入を確実に防ぐことができる。
【００３５】
第１の異物除去シート作る熱可塑性合成樹脂繊維の平均繊維径が３〜５０μｍの範囲、第２の異物除去シートを作る熱可塑性合成樹脂繊維の平均繊維径が０．５〜３０μｍの範囲にあり、第１の異物除去シートの１枚の目付が１．５〜５０ｇ／ｍ２の範囲、第２の異物除去シートの１枚の目付が１０〜１００ｇ／ｍ２の範囲にあり、第１の異物除去シートの１枚の厚み寸法が０．２〜３ｍｍの範囲、第２の異物除去シートの１枚の厚み寸法が０．５〜３ｍｍの範囲にある使い捨てマスクは、それら異物除去シートの目付が前記範囲にあり、それら異物除去シートの厚み寸法が前記範囲にあるから、マスクが嵩張ることがなく、マスクの着用感の低下を防ぐことができ、マスクを着用した着用者に不快感を与えることがない。また、マスクにおける異物の捕集効率が向上するとともに、通気性が阻害されることがなく、通常のマスクに求められる各種機能を実現することができる。
【００３６】
吸着剤がヨウ化カリウムとヨウ素酸カリウムとのうちの少なくとも一方であり、活性炭素繊維の単位重量（ｋｇ）に対する吸着剤の添着量が１０〜２５重量％／ｋｇの範囲にあり、空気の湿度９５％におけるヨウ素捕集シートの放射性有機ヨウ素除去効率が８５〜９０％の範囲にある使い捨てマスクは、放射性有機ヨウ素に対する優れた吸着機能を有するヨウ化カリウムやヨウ素酸カリウムを利用することで、活性炭素繊維それぞれに添着されたヨウ化カリウムやヨウ素酸カリウムが空気中の放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。使い捨てマスクは、ヨウ化カリウムとヨウ素酸カリウムとの添着量が前記範囲にあり、ヨウ素捕集シートの放射性有機ヨウ素除去効率が前記範囲にあるから、空気中に存在する微量の放射性有機ヨウ素の濃度が低く、空気中に存在する放射性有機ヨウ素が微量であったとしても、マスクにその放射性有機ヨウ素を確実に捕集かつ吸着させることができる。使い捨てマスクは、活性炭素繊維に捕集されかつヨウ化カリウムやヨウ素酸カリウムに吸着された放射性有機ヨウ素がヨウ化カリウムやヨウ素酸カリウムから再び放出されることはなく、放射性有機ヨウ素のマスクから他所への拡散を防ぐことができるとともに、廃棄されたマスクに放射性有機ヨウ素を捕集・吸着させた状態でその半減期を安全に迎えることができる。
【００３７】
吸着剤がアミン類であり、活性炭素繊維の単位重量（ｋｇ）に対するアミン類の添着量が１０〜２０重量％／ｋｇの範囲にあり、空気の湿度９５％におけるヨウ素捕集シートの放射性有機ヨウ素捕集効率が９５％以上である使い捨てマスクは、放射性有機ヨウ素を吸着するアミン類が活性炭素繊維に添着されており、空気の湿度９５％におけるフィルタの放射性有機ヨウ素除去効率が９５％以上であるから、空気の高湿度環境下において優れた放射性有機ヨウ素吸着性能を発揮し、空気に放射性有機ヨウ素が含まれていたとしても、その放射性有機ヨウ素を確実に捕集かつ吸着することができ、放射性有機ヨウ素が通過することはなく、マスクを着用した着用者の体内への放射性有機ヨウ素の進入を防ぐことができる。使い捨てマスクは、アミン類の添着量が前記範囲にあり、ヨウ素捕集シートの放射性有機ヨウ素除去効率が前記範囲にあるから、空気中に存在する微量の放射性有機ヨウ素の濃度が低く、空気中に存在する放射性有機ヨウ素が微量であったとしても、マスクにその放射性有機ヨウ素を確実に捕集かつ吸着させることができる。使い捨てマスクは、活性炭素繊維に捕集されかつアミン類に吸着された放射性有機ヨウ素がアミン類から再び放出されることはなく、放射性有機ヨウ素のマスクから他所への拡散を防ぐことができるとともに、廃棄されたマスクに放射性有機ヨウ素を捕集・吸着させた状態でその半減期を安全に迎えることができる。
【００３８】
アミン類が吸着剤がトリエチレンジアミンＣ６Ｈ１２Ｎ２である使い捨てマスクは、放射性有機ヨウ素に対する優れた吸着機能を有するトリエチレンジアミンＣ６Ｈ１２Ｎ２を利用することで、活性炭素繊維それぞれに添着されたトリエチレンジアミンＣ６Ｈ１２Ｎ２が空気中の放射性有機ヨウ素を吸着するから、空気中に放射性有機ヨウ素が含まれていたとしても、放射性有機ヨウ素がマスクに確実に捕集かつ吸着され、放射性有機ヨウ素が通過することはなく、マスクを着用した着用者の体内への放射性有機ヨウ素の進入を防ぐことができる。使い捨てマスクは、トリエチレンジアミンＣ６Ｈ１２Ｎ２の添着量が１０〜２０重量％／ｋｇの範囲にあり、ヨウ素捕集シートの放射性有機ヨウ素除去効率が９５％以上であるから、空気中に存在する微量の放射性有機ヨウ素の濃度が低く、空気中に存在する放射性有機ヨウ素が微量であったとしても、マスクにその放射性有機ヨウ素を確実に捕集かつ吸着させることができる。使い捨てマスクは、活性炭素繊維に捕集されかつトリエチレンジアミンＣ６Ｈ１２Ｎ２に吸着された放射性有機ヨウ素がトリエチレンジアミンＣ６Ｈ１２Ｎ２から再び放出されることはなく、放射性有機ヨウ素のマスクから他所への拡散を防ぐことができるとともに、廃棄されたマスクに放射性有機ヨウ素を捕集・吸着させた状態でその半減期を安全に迎えることができる。
【図面の簡単な説明】
【００３９】
【図１】一例として示す使い捨てマスクの斜視図。
【図２】図１のマスクの分解斜視図。
【図３】図１のＡ−Ａ線端面図。
【図４】着用状態で示すマスクの斜視図。
【図５】放射性有機ヨウ素除去効率の試験装置を示す図。
【図６】他の一例として示す使い捨てマスクの斜視図。
【図７】図６のマスクの分解斜視図。
【図８】図６のＢ−Ｂ線端面図。
【図９】他の一例として示す使い捨てマスクの斜視図。
【図１０】図９のマスクの分解斜視図。
【図１１】図９のＣ−Ｃ線端面図。
【図１２】図９のＤ−Ｄ線端面図。
【図１３】着用状態で示すマスクの斜視図。
【図１４】第１の異物除去シートの他の一例を示す斜視図。
【図１５】第２の異物除去シートの他の一例を示す斜視図。
【図１６】ヨウ素捕集シートの他の一例を示す斜視図。
【図１７】他の一例のヨウ素捕集シートを使用したマスクの図１１と同様の端面図。
【図１８】ヨウ素捕集シートの他の一例を示す斜視図。
【図１９】他の一例のヨウ素捕集シートを使用したマスクの図１１と同様の端面図。
【図２０】他の一例として示す使い捨てマスクの斜視図。
【図２１】背面側から示す使い捨てマスクの斜視図。
【図２２】図２０のマスクの分解斜視図。
【図２３】図２０のＥ−Ｅ線端面図。
【図２４】着用状態で示すマスクの斜視図。
【図２５】他の一例として示す使い捨てマスクの斜視図。
【図２６】図２５のＦ−Ｆ線端面図。
【図２７】図２５のＧ−Ｇ線端面図。
【図２８】図１６のヨウ素捕集シートを使用したマスクの図２６と同様の端面図。
【図２９】図１６のヨウ素捕集シートを使用したマスクの図２７と同様の端面図。
【図３０】他の一例として示す使い捨てマスクの正面斜視図。
【図３１】図３０の使い捨てマスクの背面斜視図。
【図３２】着用状態で示すマスクの斜視図
【図３３】図３０のＨ−Ｈ線端面図。
【図３４】図３０のＩ−Ｉ線端面図。
【発明を実施するための形態】
【００４０】
一例として示す使い捨てマスク１０Ａの斜視図である図１等の添付の図面を参照し、本発明にかかる放射性有機ヨウ素を除去可能な使い捨てマスクの詳細を説明すると、以下のとおりである。なお、図２は、図１のマスク１０Ａの分解斜視図であり、図３は、図１のＡ−Ａ線端面図である。図４は、着用状態で示すマスク１０Ａの斜視図である。図１では、縦方向を矢印Ｌで示し、横方向を矢印Ｍで示す。図２では、第２フィルタ部材１１Ｂの図示を省略している。
【００４１】
使い捨てマスク１０Ａ（後記する使い捨てマスク１０Ｂ〜１０Ｆを含む）は、放射性有機ヨウ素（ヨウ素ガス）が発生するおそれがある原子力関連施設や医療施設等の作業空間において作業に従事する作業者（着用者４０）が使用するのみならず、事故によって放射性有機ヨウ素（ガス状の放射性セシウムを含む）が大気に放出された場合、その放射性有機ヨウ素や放射性セシウムによって汚染されるおそれがある地域の住人（着用者４０）が使用し、それら着用者４０における放射性有機ヨウ素や放射性セシウムの体内への進入を防止する。
【００４２】
使い捨てマスク１０Ａ（後記する使い捨てマスク１０Ｂ〜１０Ｆを含む）は、所定期間内において１回または数回の使用の後、廃棄される使い捨てであり、放射性有機ヨウ素やガス状の放射性セシウムの体内への進入を防御するのみならず、塵埃や花粉、雑菌、ウイルス等の異物の体内への進入を防御する。なお、原子力関連施設には、原子力発電所、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００４３】
使い捨てマスク１０Ａは、着用者４０の口および鼻孔の全体を覆うフィルタ部材１１と、着用者４０の両耳に掛ける耳掛け部材１２（装着部材）とを有する。フィルタ部材１１は、着用者４０がマスク１０Ａを着用したときに、着用者４０の顔面の中心線から略左側に位置する第１フィルタ部材１１Ａと、着用者４０の顔面の中心線から略右側に位置する第２フィルタ部材１１Ｂとから形成されている。フィルタ部材１１は、それら第１および第２フィルタ部材１１Ａ，１１Ｂが着用者４０の顔面から前方へ凸となる立体形状（立体構造）に成形されている。
【００４４】
耳掛け部材１２は、フィルタ部材１１とは別に作られ、着用者４０の左耳に掛ける第１耳掛け部材１２Ａと、着用者４０の右耳に掛ける第２耳掛け部材１２Ｂとから形成されている。それら耳掛け部材１２Ａ，１２Ｂは、複数の熱可塑性合成樹脂繊維から作られた通気性を有する繊維不織布（伸縮性または非伸縮性の疎水性繊維不織布、伸縮性または非伸縮性の親水性繊維不織布）である。それら耳掛け部材１２Ａ，１２Ｂは、略環状に成型された自由部１３と縦方向へ略直状に延びる連結端部１４とを有する。第１耳掛け部材１２Ａは、その連結端部１４が第１フィルタ部材１１Ａに連結され、第２耳掛け部材１２Ｂは、その連結端部１４が第２フィルタ部材１１Ｂに連結されている。
【００４５】
第１および第２フィルタ部材１１Ａ，１１Ｂは、横方向へ延びる上端部１５および下端部１６と、縦方向へ延びる内端部１７および外端部１８とを有する。第１および第２フィルタ部材１１Ａ，１１Ｂは、図２の分解斜視図に示すように、着用者４０の肌側に位置する第１の異物除去シート１９と、第１の異物除去シート１９の外側に位置するヨウ素捕集シート２０と、ヨウ素捕集シート２０の外側（着用者４０の非肌側）に位置する第２の異物除去シート２１とから形成されている。
【００４６】
第１および第２の異物除去シート１９，２１は、略同形同大であり、所定の面積および所定の厚み寸法を有する略矩形のシート状に成型（立体裁断）されている。ヨウ素捕集シート２０は、それら異物除去シート１９，２１よりもわずかに小さく、所定の面積および所定の厚み寸法を有する略矩形のシート状に成型（立体裁断）されている。
【００４７】
第１の異物除去シート１９とヨウ素捕集シート２０とは、異物除去シート１９の肌非対向面とヨウ素捕集シート２０の肌対向面とが互いに重なり合っている。それらシート１９，２０の面どうしは固着されていない。ヨウ素捕集シート２０と第２の異物除去シート２１とは、ヨウ素捕集シート２０の肌非対向面と異物除去シート２１の肌対向面とが互いに重なり合っている。それらシート２０，２１の面どうしは固着されていない。なお、それらシート１９，２０の面のうちの少なくとも一方にドット状または線状あるいはスパイラル状に塗布されたホットメルト接着剤（図示せず）を介してそれらシート１９，２０の面どうしが固着されていてもよく、それらシート２０，２１の面のうちの少なくとも一方にドット状または線状あるいはスパイラル状に塗布されたホットメルト接着剤（図示せず）を介してそれらシート２０，２１の面どうしが固着されていてもよい。
【００４８】
第１の異物除去シート１９と第２の異物除去シート２１とは、ヨウ素捕集シート２０の周縁から外側に延出するそれら異物除去シート１９，２１の周縁部が互いに重なり合い、それら異物除去シート１９，２１の周縁部が線状または点状に延びる熱融着線によって熱融着（固着）されている。それらシート１９，２１は、超音波シールやヒートシールによって融着されている。ゆえに、第１および第２フィルタ部材１１Ａ，１１Ｂでは、ヨウ素捕集シート２０が第１および第２の異物除去シート１９，２１の間に介在し、それら異物除去シート１９，２１に固定されているとともに、それら異物除去シート１９，２１どうしが固定されている。ヨウ素捕集シート２０は、その周縁が異物除去シート１９，２１の周縁部から外側に露出することはなく、その全体が異物除去シート１９，２１に包被されている。なお、それら異物除去シート１９，２１の周縁部がホットメルト接着剤によって固着されていてもよい。
【００４９】
第１フィルタ部材１１Ａと第２フィルタ部材１１Ｂとは、それらフィルタ部材１１Ａ，１１Ｂの内端部１７が互いに重なり合い、それらフィルタ部材１１Ａ，１１Ｂの内端部１７に沿って縦方向へ線状または点状に延びる熱融着部を介して熱融着（固着）されている。それら部材１１Ａ，１１Ｂは、超音波シールやヒートシールによって融着されている。第１フィルタ部材１９と第２フィルタ部材２１とは、それらフィルタ部材１１Ａ，１１Ｂの内端部１７において連結されている。
【００５０】
第１耳掛け部材１２Ａは、その連結端部１４が第１フィルタ部材１１Ａの外端部１８に重なり（第１および第２の異物除去シート１９，２１の間に介在）、縦方向へ線状または点状に延びる熱融着部を介して第１フィルタ部材１１Ａに熱融着（固着）されている（超音波シールまたはヒートシール）。第２耳掛け部材１２Ｂは、その連結端部１４が第２フィルタ部材１１Ｂの外端部１８に重なり（第１および第２の異物除去シート１９，２１の間に介在）、縦方向へ線状または点状に延びる熱融着部を介して第２フィルタ部材１１Ｂに熱融着（固着）されている（超音波シールまたはヒートシール）。
【００５１】
この使い捨てマスク１０Ａを着用するには、図４に示すように、それら耳掛け部材１２Ａ，１２Ｂの自由部１３を着用者４０の両耳に掛ける。着用者４０がマスク１０Ａを着用すると、第１および第２フィルタ部材１１Ａ，１１Ｂの上下端部１５，１６および外端部１８と第１および第２耳掛け部材１２Ａ，１２Ｂとが着用者４０の顔面に当接し、フィルタ部材１１が着用者４０の口および鼻孔の全体を覆う。使い捨てマスク１０Ａでは、第１耳掛け部材１２Ａの自由部１３を右耳に掛け、第２耳掛け部材１２Ｂの自由部１３を左耳に掛けることで、マスク１０Ａが着用者４０の顔面に固定され、着用者４０の顔面からのマスク１０Ａの不用意なズレ動きや脱落が防止される。
【００５２】
着用者４０は、マスク１０Ａを着用した状態で、放射性有機ヨウ素（ヨウ素ガス）が発生するおそれがある原子力関連施設や医療施設等の作業空間に入り、作業を行う。また、事故によって放射性有機ヨウ素やガス状の放射性セシウムが大気に放出された場合、その放射性有機ヨウ素や放射性セシウムによって汚染されるおそれがある地域の住人（着用者４０）がマスク１０Ａを着用し、その地域で生活を行いながら放射性有機ヨウ素の半減期を待つ。
【００５３】
第１の異物除去シート１９には、複数の熱可塑性合成樹脂繊維と複数の吸水性繊維とから作られた通気性を有する繊維不織布が使用されている。なお、第１の異物除去シート１９には、複数の熱可塑性合成樹脂繊維から作られた通気性を有する繊維不織布を使用することができ、または、複数の熱可塑性合成樹脂繊維と複数の吸水性繊維と複数の抗菌性繊維とから作られた通気性を有する繊維不織布を使用することができる。
【００５４】
第１の異物除去シート１９を形成するそれら繊維不織布には、スパンボンド法やメルトブロー法、サーマルボンド法、ケミカルボンド法、ニードルパンチ法、スパンレース法、ステッチボンド法、スチームジェット法の各製法によって作られた不織布を使用することができる。熱可塑性合成樹脂繊維としては、ポリエステル繊維やポリプロピレン繊維、ポリエチレン繊維、ポリ塩化ビニル繊維、ナイロン繊維、レーヨン繊維、ビニロン繊維等の各繊維を使用することができる。それら繊維には、異形断面繊維や中空繊維、異形中空繊維、サイドバイサイド繊維、芯鞘型繊維を使用することもできる。
【００５５】
吸水性繊維としては、ポリアクリル酸系ポリマーやデンプン・アクリロニトリルグラフト重合体の加水分解物、カルボキシメチルセルロース架橋物の他、ポリアクリル酸塩系、ポリオキシエチレン系、ポリビニルアルコール・無水マレイン酸系、酢酸ビニル・アクリル酸塩系等の吸水性樹脂を紡糸して製造した繊維を使用することができる。
【００５６】
なお、吸水性繊維には、その腰や剛性を高くするためにサイドバイサイド繊維や芯鞘型繊維を使用することが好ましい。この場合におけるサイドバイサイド繊維や芯鞘型繊維の一方の繊維には、低密度ポリエチレン繊維や高密度ポリエチレン繊維、ポリエチレン繊維等のポリオレフィン系繊維を使用することが好ましい。また、吸水性繊維には、その表面を粗面化するとともに、乾燥状態において繊維どうしのブロッキングや接着を防止するために無機充填剤を添加することが好ましい。
【００５７】
第１の異物除去シート１９の全重量に対する吸水性繊維の比率（割合）は、１０〜２０重量％の範囲、好ましくは、１５〜２０重量％の範囲にある。吸水性繊維の比率が１０重量％未満では、第１の異物除去シート１９における湿気除去機能が低下し、異物除去シート１９を通過する空気中に含まれる湿気や着用者４０の呼気に含まれる湿気を異物除去シート１９に充分に吸収させることができない。吸水性繊維の比率が２０重量％を超過すると、第１の異物除去シート１９の湿気吸収時における異物除去シート１９の腰や強度、シート形態維持機能が低下し、マスク１０Ａの使用時においてシート形態を維持することができない場合がある。第１の異物除去シート１９は、熱可塑性合成樹脂繊維の他に、吸水性繊維を前記比率で含んでいるから、優れた湿気（水分）吸収機能を有する。
【００５８】
第１の異物除去シート１９を作る熱可塑性合成樹脂繊維の平均繊維径は、３〜５０μｍの範囲、好ましくは１０〜５０μｍの範囲、より好ましくは２０〜５０μｍの範囲にある。平均繊維径が３μｍ未満では、異物除去シート１９の目付が必要以上に低い場合、異物除去シート１９の腰や強度、シート形態維持機能が低下し、図１のマスク形態に加工することができない場合があるとともに、異物除去シート１９が破損し易く、マスク１０Ａの使用時においてシート形態を維持することができない場合がある。平均繊維径が５０μｍを超過すると、異物除去シート１９の目付が必要以上に高い場合、異物除去シート１９の圧力損失が増加して異物除去シート１９の面速が低下し、異物除去シート１９における通気度が低下する。その結果、マスク１０Ａの通気性が低下してマスク１０Ａを着用した着用者４０のスムーズな呼吸が害される場合がある。なお、第１の異物除去シート１９では、それを作る熱可塑性合成樹脂繊維の平均繊維径が第２の異物除去シート２１を作る熱可塑性合成樹脂繊維のそれよりも大きい。ただし、第１および第２の異物除去シート１９，２１を作る熱可塑合成樹脂繊維の平均繊維径が同一であってもよい。
【００５９】
第１の異物除去シート１９の目付は、１．５〜５０ｇ／ｍ２の範囲、好ましくは１．５〜３０ｇ／ｍ２の範囲にあり、より好ましくは１．５〜２０ｇ／ｍ２の範囲にある。目付が１．５ｇ／ｍ２未満では、異物除去シート１９を作る熱可塑性合成樹脂繊維の平均繊維径が必要以上に小さい場合、異物除去シート１９の腰や強度、シート形態維持機能が低下し、図１のマスク形態に加工することができない場合があるとともに、異物除去シート１９が破損し易く、マスク１０Ａの使用時においてシート形態を維持することができない場合がある。目付が５０ｇ／ｍ２を超過すると、異物除去シート１９を作る熱可塑性合成樹脂繊維の平均繊維径が必要以上に大きい場合、異物除去シート１９の圧力損失が増加して異物除去シート１９の面速が低下し、異物除去シート１９における通気度が低下する。その結果、マスク１０Ａの通気性が低下してマスク１０Ａを着用した着用者４０のスムーズな呼吸が害される場合がある。なお、第１の異物除去シート１９では、その目付が第２の異物除去シート２１のそれよりも小さい。ただし、第１および第２の異物除去シート１９，２１の目付が同一であってもよい。
【００６０】
第１の異物除去シート１９の厚み寸法は、０．２〜３ｍｍの範囲、好ましくは、０．２〜２ｍｍの範囲、より好ましくは、０．２〜１ｍｍの範囲にある。厚み寸法が０．２ｍｍ未満では、異物除去シート１９を作る熱可塑性合成樹脂繊維の平均繊維径が必要以上に小さく、異物除去シート１９の目付が必要以上に低い場合、異物除去シート１９の腰や強度、シート形態維持機能が低下し、図１のマスク形態に加工することができない場合があるとともに、異物除去シート１９が破損し易く、マスク１０Ａの使用時においてシート形態を維持することができない場合がある。厚み寸法が３ｍｍを超過すると、マスク１０Ａの厚み寸法が必要以上に大きくなり、マスク１０Ａが嵩張るとともに、マスク１０Ａの剛性が増加してその柔軟性や着用感、風合いが低下する。なお、第１の異物除去シート１９では、その厚み寸法が第２の異物除去シート２１のそれよりも小さい。ただし、第１および第２の異物除去シート１０，２１の厚み寸法が同一であってもよい。
【００６１】
第１の異物除去シート１９では、その面速が１０〜１６ｃｍ／ｓｅｃの範囲にある。第１の異物除去シート１９の面速が１０ｃｍ／ｓｅｃ未満では、異物除去シート１９における通気度が低く、マスク１０Ａの通気性が低下してマスク１０Ａを着用した着用者４０のスムーズな呼吸が害される場合がある。面速が１６ｃｍ／ｓｅｃを超過すると、着用者４０の呼吸によって空気を吸引したときに、異物除去シート１９を通過する空気の速度が必要以上に速くなり、異物除去シート１９に湿気（水分）を吸収させることができない場合がある。なお、第１の異物除去シート１９は、その面速が第２の異物除去シート２１のそれよりも大きい。ただし、第１の異物除去シート１９の面速が第２の異物除去シート２１のそれと同一であってもよい。
【００６２】
第１の異物除去シートが抗菌性繊維を含む場合、第１の異物除去シートの全重量に対する抗菌性繊維の比率（割合）は、５〜１０重量％の範囲、好ましくは、７〜８重量％の範囲にある。抗菌性繊維の比率が５重量％未満では、第１の異物除去シートにおける抗菌作用や抗ウイルス作用が低下し、異物除去シートを通過する雑菌やウイルスを殺菌や除菌することができない場合がある。抗菌性繊維の比率が１０重量％を超過すると、異物除去シートの剛性が増して異物除去シートの柔軟性が低下し、異物除去シートにおける着用感や風合いが低下する。第１の異物除去シートは、熱可塑性合成樹脂繊維の他に、それが抗菌性繊維を前記比率で含む場合、優れた抗菌作用および抗ウイルス作用を有する。
【００６３】
第２の異物除去シート２１には、複数の熱可塑性合成樹脂繊維と複数の吸水性繊維と複数の抗菌性繊維とから作られた通気性を有する繊維不織布が使用されている。なお、第２の異物除去シート２１には、複数の熱可塑性合成樹脂繊維から作られた通気性を有する繊維不織布を使用することができ、または、複数の熱可塑性合成樹脂繊維と複数の吸水性繊維とから作られた通気性を有する繊維不織布を使用することができる。第２の異物除去シート２１を形成するそれら繊維不織布の製法は、第１の異物除去シート１９を形成するそれら繊維不織布のそれと同一であり、熱可塑性合成樹脂繊維は、第１の異物除去シート１９を形成するそれら繊維不織布のそれと同一である。吸水性繊維は、第１の異物除去シート１９に使用されるそれと同一である。
【００６４】
第２の異物除去シート２１では、それを作る熱可塑性合成樹脂繊維がエレクトレット化されている。第２の異物除去シート２１のエレクトレット化の一例としては、エレクトレット処理装置を利用し、針状電極と電極との距離を２５ｍｍとし、印可電圧を２５ｋｖとするとともに、処理温度を８０℃としてエレクトレット処理を行う。なお、第２の異物除去シート２１と同様に、第１の異物除去シート１９を作る熱可塑性合成樹脂繊維がエレクトレット化されていてもよい。また、第２の異物除去シート２１を作る熱可塑性合成樹脂繊維がエレクトレット化されていなくてもよい。
【００６５】
第２の異物除去シート２１の全重量に対する吸水性繊維の比率（割合）は、１０〜２０重量％の範囲、好ましくは、１５〜２０重量％の範囲にある。吸水性繊維の比率が１０重量％未満では、第２の異物除去シート２１における湿気除去機能が低下し、異物除去シート２１を通過する空気中に含まれる湿気や着用者４０の呼気に含まれる湿気を異物除去シート２１に充分に吸収させることができない。吸水性繊維の比率が２０重量％を超過すると、第２の異物除去シート２１の湿気吸収時における異物除去シート２１の腰や強度、シート形態維持機能が低下し、マスク１０Ａの使用時においてシート形態を維持することができない場合がある。第２の異物除去シート２１は、熱可塑性合成樹脂繊維の他に、吸水性繊維を前記比率で含んでいるから、優れた湿気吸収機能を有する。
【００６６】
抗菌性繊維としては、銀微粒子や銀担持無機微粒子、無機系抗菌剤微粒子を表面に付着させた繊維、または、銀微粒子や銀担持無機微粒子、無機系抗菌剤微粒子を練り込んだ繊維等を使用することができる。無機系抗菌剤微粒子には、銀イオンや銅イオン、亜鉛イオン、錫イオン等の抗菌作用を有する金属イオンを無機担体に保持させた無機系抗菌剤微粒子や酸化チタン系無機系抗菌剤微粒子等を使用することができるが、銀イオンを無機担体に保持させた無機系抗菌剤微粒子を使用することが好ましい。無機担体には、ゼオライトやリン酸ジルコニウム、リン酸カルシウム等を使用することができるが、高いイオン交換機能を有するゼオライトを使用することが好ましい。無機系抗菌剤微粒子を練り込んだ繊維におけるその無機系抗菌剤微粒子の含有量は、繊維１００重量％に対して０．０１〜１０重量％の範囲、好ましくは０．０５〜５重量％の範囲、より好ましくは０．１〜２重量％の範囲にある。
【００６７】
第２の異物除去シート２１の全重量に対する抗菌性繊維の比率（割合）は、５〜１０重量％の範囲、好ましくは、７〜８重量％の範囲にある。抗菌性繊維の比率が５重量％未満では、第２の異物除去シート２１における抗菌作用や抗ウイルス作用が低下し、異物除去シート２１を通過する雑菌やウイルスを殺菌や除菌することができない場合がある。抗菌性繊維の比率が１０重量％を超過すると、異物除去シート２１の剛性が増して異物除去シート２１の柔軟性が低下し、異物除去シート２１における着用感や風合いが低下する。第２の異物除去シート２１は、熱可塑性合成樹脂繊維の他に、抗菌性繊維を前記比率で含んでいるから、優れた抗菌作用および抗ウイルス作用を有する。
【００６８】
第２の異物除去シート２１を作る熱可塑性合成樹脂繊維の平均繊維径は、０．５〜３０μｍの範囲、好ましくは０．５〜１５μｍ、より好ましくは０．５〜１０μｍの範囲にある。平均繊維径が０．５μｍ未満では、異物除去シート２１の目付が必要以上に低い場合、異物除去シート２１の腰や強度、シート形態維持機能が低下し、図１のマスク形態に加工することができない場合があるとともに、異物除去シート２１が破損し易く、マスク１０Ａの使用時においてシート形態を維持することができない場合がある。平均繊維径が３０μｍを超過すると、異物除去シート２１の目付が必要以上に高い場合、異物除去シート２１の圧力損失が増加して異物除去シート２１の面速が低下し、異物除去シート２１における通気度が低下する。その結果、マスク１０Ａの通気性が低下してマスク１０Ａを着用した着用者４０のスムーズな呼吸が害される場合がある。なお、第２の異物除去シート２１では、それを作る熱可塑性合成樹脂繊維の平均繊維径が第１の異物除去シート１９を作る熱可塑性合成樹脂繊維のそれよりも小さい。
【００６９】
第２の異物除去シート２１の目付は、１０〜１００ｇ／ｍ２の範囲、好ましくは３０〜１００ｇ／ｍ２の範囲にあり、より好ましくは５０〜１００ｇ／ｍ２の範囲にある。目付が１０ｇ／ｍ２未満では、異物除去シート２１を作る熱可塑性合成樹脂繊維の平均繊維径が必要以上に小さい場合、異物除去シート２１の腰や強度、シート形態維持機能が低下し、図１のマスク形態に加工することができない場合があるとともに、異物除去シート２１が破損し易く、マスク１０Ａの使用時においてシート形態を維持することができない場合がある。目付が１００ｇ／ｍ２を超過すると、異物除去シート２１を作る熱可塑性合成樹脂繊維の平均繊維径が必要以上に大きい場合、異物除去シート２１の圧力損失が増加して異物除去シート２１の面速が低下し、異物除去シート２１における通気度が低下する。その結果、マスク１０Ａの通気性が低下してマスク１０Ａを着用した着用者４０のスムーズな呼吸が害される場合がある。なお、第２の異物除去シート２１では、その目付が第１の異物除去シート１９のそれよりも大きい。
【００７０】
第２の異物除去シート２１の厚み寸法は、０．５〜３ｍｍの範囲、好ましくは１〜３ｍｍの範囲、より好ましくは２〜３ｍｍの範囲にある。厚み寸法が０．５ｍｍ未満では、異物除去シート２１を作る熱可塑性合成樹脂繊維の平均繊維径が必要以上に小さく、異物除去シート２１の目付が必要以上に低い場合、異物除去シート２１の腰や強度、シート形態維持機能が低下し、図１のマスク形態に加工することができない場合があるとともに、異物除去シート２１が破損し易く、マスク１０Ａの使用時においてシート形態を維持することができない場合がある。厚み寸法が３ｍｍを超過すると、マスク１０Ａの厚み寸法が必要以上に大きくなり、マスク１０Ａが嵩張るとともに、マスク１０Ａの剛性が増加してその柔軟性や着用感、風合いが低下する。なお、第２の異物除去シート２１では、その厚み寸法が第１の異物除去シート１９の厚み寸法よりも大きい。
【００７１】
第２の異物除去シート２１では、その面速が８〜１２ｃｍ／ｓｅｃの範囲にある。第２の異物除去シート２１の面速が８ｃｍ／ｓｅｃ未満では、異物除去シート２１における通気度が低く、マスク１０Ａの通気性が低下してマスク１０Ａを着用した着用者４０のスムーズな呼吸が害される場合がある。面速が１２ｃｍ／ｓｅｃを超過すると、着用者４０の呼吸によって空気を吸引したときに、異物除去シート２１を通過する空気の速度が必要以上に速くなり、異物除去シート２１に塵埃や花粉等の異物を吸着させることができない場合があるとともに、異物除去シート１９に湿気を吸収させることができない場合がある。なお、第２の異物除去シート２１は、その面速が第１の異物除去シート１９やヨウ素捕集シート２０のそれよりも小さい。
【００７２】
ヨウ素捕集シート２０は、高比表面積かつ微細な多数の細孔を有して放射性有機ヨウ素やガス状の放射性セシウムを捕集する複数の活性炭素繊維から作られた通気性を有する繊維不織布が使用されている。ヨウ素捕集シート２０を形成するそれら繊維不織布の製法は、第１および第２の異物除去シート１９，２１を形成するそれら繊維不織布のそれと同一である。なお、ヨウ素捕集シート２０には、複数の活性炭素繊維から作られた織物または編み物（ニットやフェルト）を使用することもできる。
【００７３】
ヨウ素捕集シート２０が繊維不織布の形態を有する場合、ヨウ素捕集シート２０の通気性や加工性が向上するとともに、ヨウ素捕集シート２０における放射性有機ヨウ素の吸着速度を速くすることができる。また、ヨウ素捕集シート２０が織物または編み物の形態を有する場合、ヨウ素捕集シート２０の通気性や加工性が向上するとともに、ヨウ素捕集シート２０の強度や柔軟性を向上させることができる。活性炭素繊維は、有機繊維を焼成して炭化し、さらに高温で熱処理をして作られる。活性炭素繊維には、セルロース系やアクリル系、フェノール系、ピッチ系を使用することができる。活性炭素繊維には、その表面から厚み方向へ延びる複数のミクロポアが形成されている。
【００７４】
ヨウ素捕集シート２０を作る活性炭素繊維の平均繊維径は、５〜２０μｍの範囲、好ましくは７〜１８μｍの範囲、より好ましくは１０〜１６μｍの範囲にある。平均繊維径が５μｍ未満では、ヨウ素捕集シート２０の目付が必要以上に低い場合、ヨウ素捕集シート２０の強度やシート形態維持機能が低下し、ヨウ素捕集シート２０が破損し易く、ヨウ素捕集シート２０における放射性有機ヨウ素捕集機能が低下する。平均繊維径が２０μｍを超過すると、活性炭素繊維の幾何学的な表面積が相対的に少なくなるため、ヨウ素捕集シート２０における放射性有機ヨウ素捕集性能が低下する場合がある。
【００７５】
ヨウ素捕集シート２０の目付は、５０〜２００ｇ／ｍ２の範囲、好ましくは７０〜１８０ｇ／ｍ２の範囲、より好ましくは８０〜１５０ｇ／ｍ２の範囲にある。目付が５０ｇ／ｍ２未満では、活性炭素繊維の平均繊維径が必要以上に小さい場合、ヨウ素捕集シート２０の強度やシート形態維持機能が低下し、ヨウ素捕集シート２０が破損し易く、ヨウ素捕集シート２０における放射性有機ヨウ素捕集機能が低下する。目付が２００ｇ／ｍ２を超過すると、ヨウ素捕集シート２０の剛性が増加してマスク１０Ａの柔軟性や着用感、風合いが低下する。
【００７６】
ヨウ素捕集シート２０の厚み寸法は、０．５〜３ｍｍの範囲、好ましくは１〜３ｍｍの範囲、より好ましくは２〜３ｍｍの範囲にある。厚み寸法が０．５ｍｍ未満では、異物除去シート２０を作る熱可塑性合成樹脂繊維の平均繊維径が必要以上に小さく、異物除去シート２０の目付が必要以上に低い場合、ヨウ素捕集シート２０の強度やシート形態維持機能が低下し、ヨウ素捕集シート２０が破損し易く、ヨウ素捕集シート２０における放射性有機ヨウ素捕集機能が低下する。厚み寸法が３ｍｍを超過すると、マスク１０Ａの厚み寸法が必要以上に大きくなり、マスク１０Ａが嵩張るとともに、マスク１０Ａの剛性が増加してその柔軟性や着用感、風合いが低下する。
【００７７】
ヨウ素捕集シート２０では、その面速が１２〜２０ｃｍ／ｓｅｃの範囲、好ましくは１５〜２０ｃｍ／ｓｅｃの範囲にある。面速が１２ｃｍ／ｓｅｃ未満では、ヨウ素捕集シート２０における通気度が低く、マスク１０Ａの通気性が低下してマスク１０Ａを着用した着用者４０のスムーズな呼吸が害される場合がある。面速が２０ｃｍ／ｓｅｃを超過すると、着用者４０の呼吸によって空気を吸引したときに、ヨウ素捕集シート２０を通過する空気の速度が必要以上に速くなり、ヨウ素捕集シート２０に放射性有機ヨウ素を捕集かつ吸着させることができない場合がある。
【００７８】
ヨウ素捕集シート２０を作るそれら活性炭素繊維には、放射性有機ヨウ素やガス状の放射性セシウムを吸着する吸着剤が添着されている。吸着剤には、ヨウ化カリウムとヨウ素酸カリウムとのうちの少なくとも一方、または、トリエチレンジアミンＣ６Ｈ１２Ｎ２（アミン類）が使用されている。なお、アミン類として、トリエチレンジアミンＣ６Ｈ１２Ｎ２が使用されているが、トリエチレンジアミンＣ６Ｈ１２Ｎ２の他に、１，４−ジアザ−２，２，２−ピシクロオクタン、Ｎ，Ｎ‘−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルピロエチレンイミン、ポリアルキルポリアミンのうちの１種類のアミン類またはそれらの数種類を混合したアミン類を使用することもできる。
【００７９】
吸着剤としてヨウ化カリウムやヨウ素酸カリウムを使用する場合、活性炭素繊維の単位重量（ｋｇ）に対するヨウ化カリウムとヨウ素酸カリウムとの添着量は、１０〜２５重量％／ｋｇの範囲、好ましくは１５〜２５重量％／ｋｇの範囲、より好ましくは２０〜２５重量％／ｋｇの範囲にある。ヨウ素捕集シート２０では、放射性有機ヨウ素やガス状の放射性セシウムが活性炭素繊維のミクロポアに捕集されるとともに、活性炭素繊維に添着されたヨウ化カリウムやヨウ素酸カリウムに放射性有機ヨウ素やガス状の放射性セシウムが吸着される。
【００８０】
ヨウ化カリウムやヨウ素酸カリウムの添着量が１０重量％未満では、ヨウ化カリウムやヨウ素酸カリウムを活性炭素繊維の全域に添着させることができない場合があり、ヨウ化カリウムやヨウ素酸カリウムを介して放射性有機ヨウ素を活性炭素繊維に十分に吸着させることができず、ヨウ素捕集シート２０における放射性有機ヨウ素の吸着機能が不十分になる場合がある。ヨウ化カリウムやヨウ素酸カリウムの添着量が２０重量％を超過すると、ヨウ化カリウムやヨウ素酸カリウムが活性炭素繊維のミクロポアを塞いでしまう場合があり、放射性有機ヨウ素をミクロポアにおいて捕集することができない場合がある。
【００８１】
吸着剤としてトリエチレンジアミンＣ６Ｈ１２Ｎ２を使用する場合、活性炭素繊維の単位重量（ｋｇ）に対するトリエチレンジアミンＣ６Ｈ１２Ｎ２の添着量は、１０〜２０重量％／ｋｇの範囲、好ましくは１２〜１８重量％の範囲、より好ましくは１３〜１６重量％の範囲にある。ヨウ素捕集シート２０では、放射性有機ヨウ素やガス状の放射性セシウムが活性炭素繊維のミクロポアに捕集されるとともに、活性炭素繊維に添着されたトリエチレンジアミンＣ６Ｈ１２Ｎ２が放射性有機ヨウ素やガス状の放射性セシウムを吸着する。
【００８２】
トリエチレンジアミンＣ６Ｈ１２Ｎ２の添着量が１０重量％未満では、トリエチレンジアミンＣ６Ｈ１２Ｎ２を活性炭素繊維の全域に添着させることができない場合があり、トリエチレンジアミンＣ６Ｈ１２Ｎ２を介して放射性有機ヨウ素を活性炭素繊維に十分に吸着させることができず、ヨウ素捕集シート２０における放射性有機ヨウ素の吸着機能が不十分になる場合がある。トリエチレンジアミンＣ６Ｈ１２Ｎ２の添着量が２０重量％を超過すると、トリエチレンジアミンＣ６Ｈ１２Ｎ２が活性炭素繊維のミクロポアを塞いでしまう場合があり、放射性有機ヨウ素をミクロポアにおいて捕集することができない場合がある。なお、他のアミン類を使用する場合において、活性炭素繊維の単位重量（ｋｇ）に対するアミン類の添着量は、１０〜２０重量％／ｋｇの範囲、好ましくは１２〜１８重量％の範囲、より好ましくは１３〜１６重量％の範囲にある。
【００８３】
図５は、ヨウ素捕集シートにおける放射性有機ヨウ素除去効率の試験装置５０を示す図である。吸着剤としてヨウ化カリウムやヨウ素酸カリウムを使用した場合、空気の湿度９５％におけるヨウ素捕集シート２０の放射性有機ヨウ素除去効率は、８５〜９０％の範囲にある。また、吸着剤としてトリエチレンジアミンＣ６Ｈ１２Ｎ２を使用した場合、空気の湿度９５％におけるヨウ素捕集シート２０の放射性有機ヨウ素捕集効率は、９５％以上、好ましくは９７％以上、より好ましくは９９．９９９％以上である。
【００８４】
ヨウ素捕集シート２０は、放射性有機ヨウ素を吸着するヨウ化カリウムやヨウ素酸カリウムが活性炭素繊維に添着されており、空気の湿度９５％におけるヨウ素捕集シート２０の放射性有機ヨウ素除去効率が８５〜９０％の範囲にあるから、空気の高湿度環境下において優れた放射性有機ヨウ素除去性能を発揮し、空気に放射性有機ヨウ素が含まれていたとしても、その放射性有機ヨウ素を確実に捕集かつ吸着することができる。また、ヨウ素捕集シート２０は、放射性有機ヨウ素を吸着するトリエチレンジアミンＣ６Ｈ１２Ｎ２が活性炭素繊維に添着されており、空気の湿度９５％におけるヨウ素捕集シート２０の放射性有機ヨウ素除去効率が９５％以上であるから、空気の高湿度環境下において優れた放射性有機ヨウ素除去性能を発揮し、空気に放射性有機ヨウ素が含まれていたとしても、その放射性有機ヨウ素を確実に捕集かつ吸着することができる。
【００８５】
ヨウ素捕集シート２０における放射性有機ヨウ素除去効率は、図５に示す試験装置５０を利用し、その測定結果に基づいて割り出した。試験装置５０は、ボンベ５１、ガス流量計５２、光音響ガスモニタ５３（ガス濃度測定装置）、カートリッジ５４、空気流量計５５、吸気ポンプ５６から形成されている。ボンベ５１やガス流量計５２、光音響ガスモニタ５３、カートリッジ５４、空気流量計５５、吸気ポンプ５６は、管路５７を介して接続されている。カートリッジ５４の上流側の管路５７と下流側に管路５７とには、バイパス管路５８が接続されている。なお、管路５７には、カートリッジ５４への空気の流入とバイパス管路５８への空気の流入とを切り替える切替バルブ（図示せず）が設置されている。
【００８６】
ボンベ５１には、管路５７に供給するヨウ化メチルガスが収容されている。カートリッジ５４には、ヨウ素捕集シート２０から作られた第１および第２試験用シート５９Ａ，５９Ｂが着脱可能に固定される。光音響ガスモニタ５３は、カートリッジ５４の上流側の管路５７および下流側に管路５７に接続されている。光音響ガスモニタ５３は、管路５７に流れる空気に含まれるヨウ化メチルの濃度を連続的に測定する。第１試験用シート５９Ａの仕様は、ヨウ化カリウムやヨウ素酸カリウムの添着量が２０重量％、目付が１５０ｇ／ｍ２、厚み寸法が３ｍ、比表面積が１４００〜１４５０、重量が０．２８ｇである。第２試験用シート５９Ｂの仕様は、トリエチレンジアミンＣ６Ｈ１２Ｎ２の添着量が１６重量％、目付が１５０ｇ／ｍ２、厚み寸法が３ｍ、比表面積が１４００〜１４５０、重量が０．２８ｇである。
【００８７】
試験手順は、以下のとおりである。第１試験用シート５９Ａまたは第２試験用シート５９Ｂをカートリッジ５４に固定し、吸気ポンプ５６および光音響ガスモニタ５３を稼動させ、空気流量計５５の測定値を確認しつつ、所定流量（面速（１０〜２５ｃｍ／ｓｅｃ）を流量に換算した場合の流量）の空気を管路５７に流し、カートリッジ５４の下流側に延びる管路５７の露点の変化を監視した。露点測定値が設定した値（空気湿度９５％）の場合、切替バルブを介してカートリッジ５４への空気の流入を停止し、バイパス管路５８に一定流量の空気を流した。次に、ガス流量計５２の測定値を確認しつつ、ボンベ５１から一定量のヨウ化メチルガスを管路５７に供給し、光音響ガスモニタ５３を介して空気に含まれるヨウ化メチルガスの濃度が一定の濃度であることを確認した。
【００８８】
ヨウ化メチルガスの濃度が一定の濃度である場合、切替バルブを介してバイパス管路５８への空気の流入を停止し、カートリッジ５４に一定流量の空気を流し、光音響ガスモニタ５３を介してヨウ化メチルガスの濃度を連続して測定した。光音響ガスモニタ５３を利用し、カートリッジ５４の上流側の管路５４から空気をサンプリングしてその空気に含まれるヨウ化メチルの濃度を測定するとともに、カートリッジ５４の下流側の管路５７から空気をサンプリングしてその空気に含まれるヨウ化メチルの濃度を測定した。
【００８９】
ヨウ化メチルガスの濃度測定は、カートリッジ５４の下流側の濃度測定値がカートリッジ５４の上流側の濃度測定値の１／３に達するまで継続した。ヨウ化メチル除去効率（放射性有機ヨウ素除去効率）は、以下の式によって算出した。η＝（Ｃ１−Ｃ２）／Ｃ１×１００、ここで、ηはヨウ化メチル除去効率（放射性有機ヨウ素除去効率）（％）、Ｃ１はカートリッジ５４の上流側の空気に含まれるヨウ化メチルの濃度（ｐｐｍ）、Ｃ２はカートリッジ５４の下流側の空気に含まれるヨウ化メチルの濃度（ｐｐｍ）である。
【００９０】
試験結果として、第１試験用シート５９Ａでは、ヨウ化メチル除去効率（放射性有機ヨウ素除去効率）が８５〜９０％であった。また、第２試験用シート５９Ｂでは、ヨウ化メチル除去効率（放射性有機ヨウ素除去効率）が９９％以上であった。なお、第２試験用シート５９Ｂではヨウ化メチル除去効率（放射性有機ヨウ素除去効率）が９９％以上であったが、それから割り出したヨウ素捕集シート２０の放射性有機ヨウ素除去効率として９５％以上を最低効率とし、９９．９９９％以上を最高効率とする。
【００９１】
使い捨てマスク１０Ａは、ヨウ素捕集シート２０を作る複数の活性炭素繊維が放射性有機ヨウ素やガス状の放射性セシウムを捕集し、それら活性炭素繊維に添着された吸着剤が放射性有機ヨウ素やガス状の放射性セシウムを吸着するから、空気中に放射性有機ヨウ素や放射性セシウムが含まれていたとしても、放射性有機ヨウ素や放射性セシウムがマスク１０Ａに確実に捕集かつ吸着され、放射性有機ヨウ素や放射性セシウムが通過することはなく、マスク１０Ａを着用した着用者４０の体内への放射性有機ヨウ素や放射性セシウムの進入を防ぐことができる。
【００９２】
使い捨てマスク１０Ａは、それが所定濃度の放射性有機ヨウ素やガス状の放射性セシウムを捕集・吸着した後、直ちに廃棄される使い捨てであり、活性炭素繊維に捕集されかつ吸着剤に吸着された放射性有機ヨウ素や放射性セシウムが活性炭素繊維や吸着剤から再び放出されることはなく、放射性有機ヨウ素や放射性セシウムのマスク１０Ａから他所への拡散を防ぐことができるとともに、廃棄されたマスク１０Ａに放射性有機ヨウ素を捕集・吸着させた状態でその半減期を安全に迎えることができる。
【００９３】
使い捨てマスク１０Ａは、放射性有機ヨウ素やガス状の放射性セシウムを捕集・吸着するのみならず、通常のマスク機能を備えており、第１および第２の異物除去シート１９，２１によって塵埃や花粉、雑菌、ウイルス等の異物が捕集されるから、ヨウ素捕集シート２０への塵埃や花粉の付着を防ぐことができるとともに、マスク１０Ａを着用した着用者４０の体内へのそれら異物の進入を防ぐことができる。なお、第２の異物除去シート２１を作る熱可塑性合成樹脂繊維がエレクトレット化され、第２の異物除去シート２１の静電作用によって異物除去シート２１に進入した塵埃や花粉がその異物除去シート２１に効率よく捕集されるから、着用者４０の体内への塵埃や花粉の進入を確実に防ぐことができる。
【００９４】
使い捨てマスク１０Ａは、第１および第２の異物除去シート１９，２１が複数の吸水性繊維を含有するから、それら異物除去シート１９，２１を通過する空気中に含まれる湿気や着用者４０の呼気に含まれる湿気が吸水性繊維に吸収され、捕集シート２０を作る活性炭素繊維の乾燥状態を維持することができ、活性炭素繊維に添着された吸着剤が空気中の湿気や着用者４０の呼気に含まれる湿気によって活性炭素繊維から脱落することはなく、湿気によって活性炭素繊維の表面がぬれることもなく、放射性有機ヨウ素に対する活性炭素繊維の捕集機能の低下を防ぐことができるとともに、放射性有機ヨウ素に対する吸着剤の吸着機能の低下を防ぐことができる。
【００９５】
使い捨てマスク１０Ａは、第２の異物除去シート２１が複数の抗菌性繊維を含有するから、異物除去シート２１を通過する空気中に含まれる雑菌やウイルスが抗菌性繊維によって殺菌または除菌され、着用者４０の体内への雑菌やウイルスの進入を防ぐことができる。また、着用者４０の呼気に含まれる雑菌やウイルスが抗菌性繊維によって殺菌または除菌されるから、マスク１０Ａの外部への雑菌やウイルスの放出を防ぐことができる。
【００９６】
使い捨てマスク１０Ａでは、第２の異物除去シート２１の面速が第１の異物除去シート１９やヨウ素捕集シート２０のそれよりも小さく、着用者４０が空気を吸引したときや空気をはき出すときに、マスク１０Ａにおける空気の流動が第２の異物除去シート２１によって抑制され、吸引された空気やはき出された空気がヨウ素捕集シート２０全域に満遍なく通流し、ヨウ素捕集シート２０の一部を素早く通過することがなく、空気が第１の異物除去シート１９の一部を素早く通過することがないから、ヨウ素捕集シート２０に放射性有機ヨウ素やガス状の放射性セシウムを確実に捕集かつ吸着させることができ、空気に含まれる湿気を第１および第２の異物除去シート１９，２１に確実に吸収させることができる。
【００９７】
図６は、他の一例として示す使い捨てマスク１０Ｂの斜視図であり、図７は、図６のマスク１０Ｂの分解斜視図である。図８は、図６のＢ−Ｂ線端面図である。図６では、縦方向を矢印Ｌで示し、横方向を矢印Ｍで示す。使い捨てマスク１０Ｂは、着用者４０の口および鼻孔の全体を覆うフィルタ部材１１と、着用者４０の両耳に掛ける耳掛け部材１２（装着部材）とを有する。フィルタ部材１１は、着用者４０の顔面から前方へ凸となる立体形状（立体構造）に成形されている。
【００９８】
フィルタ部材１１は、横方向へ延びる上端部１５および下端部１６と、縦方向へ延びる外端部１８とを有する。フィルタ部材１１は、着用者４０の肌側に位置する第１の異物除去シート１９と、第１の異物除去シート１９の外側に位置するヨウ素捕集シート２０と、ヨウ素捕集シート２０の外側（着用者４０の非肌側）に位置する第２の異物除去シート２１とから形成されている。
【００９９】
耳掛け部材１２は、複数の熱可塑性合成樹脂繊維から作られた通気性を有する繊維不織布から作られ、着用者４０の左耳に掛ける第１耳掛け部材１２Ａと着用者４０の右耳に掛ける第２耳掛け部材１２Ｂとから形成されている。第１耳掛け部材１２Ａは、その連結端部１４がフィルタ部材１１に連結され、第２耳掛け部材１２Ｂは、その連結端部１４がフィルタ部材１１に連結されている。
【０１００】
第１の異物除去シート１９は、所定の面積および所定の厚み寸法を有する略矩形のシート状に成型されている。第２の異物除去シート２１は、所定の面積および所定の厚み寸法を有する略矩形のシート状に成型（立体裁断）され、図６の分解斜視図に示すように、マスク１０Ｂに成型される以前において２つに分割されている。ヨウ素捕集シート２０は、それら異物除去シート１９，２１よりもわずかに小さく、所定の面積および所定の厚み寸法を有する略矩形のシート状に成型されている。２つに分割された第２異物除去シート２１は、それら異物除去シート２１の内端部２２が互いに重なり合った状態で縦方向へ線状または点状に延びる熱融着部を介して熱融着（固着）されている（超音波シールまたはヒートシール）。
【０１０１】
第１の異物除去シート１９と第２の異物除去シート２１とは、それら異物除去シート１９，２１の下端部２３，２４が重なり合い、それら異物除去シート１９，２１の下端部２３，２４が熱融着によって固着されているとともに、それら異物除去シート１９，２１の外端部２５，２６が重なり合い、それら異物除去シート１９，２１の外端部２５，２６が熱融着によって固着されている（超音波シールまたはヒートシール）。それら異物除去シート１９，２１は、それらの上端部２７，２８が固着されていない。第１の異物除去シート１９と第２の異物除去シート２１との間には、図７に示すように、ヨウ素捕集シート２０を挿脱可能に収納するポケット２９が画成されている。
【０１０２】
第１耳掛け部材１２Ａは、その連結端部１４がフィルタ部材１１の外端部１８に重なり（第１および第２の異物除去シート１９，２１の間に介在）、縦方向へ線状または点状に延びる熱融着部を介してフィルタ部材１１に熱融着（固着）されている（超音波シールまたはヒートシール）。第２耳掛け部材１２Ｂは、その連結端部１４がフィルタ部材１１の外端部１８に重なり（第１および第２の異物除去シート１９，２１の間に介在）、縦方向へ線状または点状に延びる熱融着部を介してフィルタ部材１１に熱融着（固着）されている（超音波シールまたはヒートシール）。
【０１０３】
この使い捨てマスク１０Ｂを着用するには、ヨウ素捕集シート２０をポケット２９に収納した後、それら耳掛け部材１２Ａ，１２Ｂの自由部１３を着用者４０の両耳に掛ける（図４援用）。着用者４０がマスク１０Ｂを着用すると、フィルタ部材１１の上下端部１５，１６および外端部１８と第１および第２耳掛け部材１２Ａ，１２Ｂとが着用者４０の顔面に当接し、フィルタ部材１１が着用者４０の口および鼻孔の全体を覆う。使い捨てマスク１０Ｂでは、第１耳掛け部材１２Ａの自由部１３を右耳に掛け、第２耳掛け部材１２Ｂの自由部１３を左耳に掛けることで、マスク１０Ｂが着用者４０の顔面に固定され、着用者４０の顔面からのマスク１０Ｂの不用意なズレ動きや脱落が防止される。
【０１０４】
着用者４０は、マスク１０Ｂを着用した状態で、放射性有機ヨウ素（ヨウ素ガス）が発生するおそれがある原子力関連施設や医療施設等の作業空間に入り、作業を行う。また、事故によって放射性有機ヨウ素やガス状の放射性セシウムが大気に放出された場合、その放射性有機ヨウ素や放射性セシウムによって汚染されるおそれがある地域の住人（着用者４０）がマスク１０Ｂを着用し、その地域で生活を行いながら放射性有機ヨウ素の半減期を待つ。
【０１０５】
第１の異物除去シート１９には、複数の熱可塑性合成樹脂繊維と複数の吸水性繊維と複数の抗菌性繊維とから作られた通気性を有する繊維不織布が使用されている。なお、第１の異物除去シート１９には、複数の熱可塑性合成樹脂繊維と複数の吸水性繊維とから作られた通気性を有する繊維不織布を使用することができ、または、複数の熱可塑性合成樹脂繊維から作られた通気性を有する繊維不織布を使用することができる。
【０１０６】
第１の異物除去シート１９を形成するそれら繊維不織布の製法は、図１のマスク１０Ａの第１の異物除去シート１９を形成するそれら繊維不織布のそれと同一であり、熱可塑性合成樹脂繊維は、図１のマスク１０Ａの第１の異物除去シート１９を形成するそれら繊維不織布のそれと同一である。吸水性繊維は、図１のマスク１０Ａの第１の異物除去シート１９に使用されるそれと同一であり、抗菌性繊維は、図１のマスク１０Ａの第２の異物除去シート２１に使用されるそれと同一である。なお、第１の異物除去シート１９では、それを作る熱可塑性合成樹脂繊維がエレクトレット化されている。
【０１０７】
第１の異物除去シート１９の全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第１の異物除去シート１９は、熱可塑性合成樹脂繊維の他に、吸水性繊維を前記比率で含んでいるから、優れた湿気（水分）吸収機能を有する。また、第１の異物除去シート１９の全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。第１の異物除去シート１９は、熱可塑性合成樹脂繊維の他に、抗菌性繊維を前記比率で含むから、優れた抗菌作用および抗ウイルス作用を有する。
【０１０８】
第１の異物除去シート１９を作る熱可塑性合成樹脂繊維の平均繊維径は、３〜５０μｍの範囲、好ましくは１０〜５０μｍの範囲、より好ましくは２０〜５０μｍの範囲にある。第１の異物除去シート１９を作る熱可塑性合成樹脂繊維の平均繊維径を前記範囲にする理由は、図１のマスク１０Ａのそれと同様である。第１の異物除去シート１９では、それを作る熱可塑性合成樹脂繊維の平均繊維径が第２の異物除去シート２１を作る熱可塑性合成樹脂繊維のそれよりも大きい。第１の異物除去シート１９の目付は、１．５〜５０ｇ／ｍ２の範囲、好ましくは１．５〜３０ｇ／ｍ２の範囲にあり、より好ましくは１．５〜２０ｇ／ｍ２の範囲にある。第１の異物除去シート１９の目付を前記範囲にする理由は、図１のマスク１０Ａのそれと同様である。第１の異物除去シート１９では、その目付が第２の異物除去シート２１のそれよりも小さい。第１の異物除去シート１９の厚み寸法は、０．２〜３ｍｍの範囲、好ましくは、０．２〜２ｍｍの範囲、より好ましくは、０．２〜１ｍｍの範囲にある。第１の異物除去シート１９の厚み寸法を前記範囲にする理由は、図１のマスク１０Ａのそれと同様である。第１の異物除去シート１９では、その厚み寸法が第２の異物除去シート２１のそれよりも小さい。
【０１０９】
第１の異物除去シート１９では、その面速が１０〜１６ｃｍ／ｓｅｃの範囲にある。第１の異物除去シート１９は、その面速が第２の異物除去シート２１のそれよりも大きい。第１の異物除去シート１９の面速が１０ｃｍ／ｓｅｃ未満では、異物除去シート１９における通気度が低く、マスク１０Ｂの通気性が低下してマスク１０Ｂを着用した着用者４０のスムーズな呼吸が害される場合がある。面速が１６ｃｍ／ｓｅｃを超過すると、着用者４０の呼吸によって空気を吸引したときに、異物除去シート１９を通過する空気の速度が必要以上に速くなり、異物除去シート１０に湿気（水分）を吸収させることができない場合がある。
【０１１０】
第２の異物除去シート２１には、複数の熱可塑性合成樹脂繊維と複数の吸水性繊維と複数の抗菌性繊維とから作られた通気性を有する繊維不織布が使用されている。第２の異物除去シート２１を形成するそれら繊維不織布の製法は、図１のマスク１０Ａの第１の異物除去シート１９を形成するそれら繊維不織布のそれと同一であり、熱可塑性合成樹脂繊維は、図１のマスク１０Ａの第１の異物除去シート１９を形成するそれら繊維不織布のそれと同一である。吸水性繊維は、図１のマスク１０Ａの第１の異物除去シート１９に使用されるそれと同一であり、抗菌性繊維は、図１のマスク１０Ａの第２の異物除去シート２１に使用されるそれと同一である。第２の異物除去シート２１では、それを作る熱可塑性合成樹脂繊維がエレクトレット化されている。
【０１１１】
第２の異物除去シート２１の全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第２の異物除去シート２１は、熱可塑性合成樹脂繊維の他に、吸水性繊維を前記比率で含んでいるから、優れた湿気吸収機能を有する。第２の異物除去シート２１の全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。第２の異物除去シート２１は、熱可塑性合成樹脂繊維の他に、抗菌性繊維を前記比率で含んでいるから、優れた抗菌作用および抗ウイルス作用を有する。
【０１１２】
第２の異物除去シート２１を作る熱可塑性合成樹脂繊維の平均繊維径は、０．５〜３０μｍの範囲、好ましくは０．５〜１５μｍ、より好ましくは０．５〜１０μｍの範囲にある。第２の異物除去シート２１を作る熱可塑性合成樹脂繊維の平均繊維径を前記範囲にする理由は、図１のマスク１０Ａのそれと同様である。第２の異物除去シート２１では、それを作る熱可塑性合成樹脂繊維の平均繊維径が第１の異物除去シート１９を作る熱可塑性合成樹脂繊維のそれよりも小さい。
【０１１３】
第２の異物除去シート２１の目付は、１０〜１００ｇ／ｍ２の範囲、好ましくは３０〜１００ｇ／ｍ２の範囲にあり、より好ましくは５０〜１００ｇ／ｍ２の範囲にある。第２の異物除去シート２１の目付を前記範囲にする理由は、図１のマスク１０Ａのそれと同様である。第２の異物除去シート２１では、その目付が第１の異物除去シート１９のそれよりも大きい。第２の異物除去シート２１の厚み寸法は、０．５〜３ｍｍの範囲、好ましくは１〜３ｍｍの範囲、より好ましくは２〜３ｍｍの範囲にある。第２の異物除去シート２１の厚み寸法を前記範囲にする理由は、図１のマスク１０Ａのそれと同様である。第２の異物除去シート２１では、その厚み寸法が第１の異物除去シート１９の厚み寸法よりも大きい。
【０１１４】
第２の異物除去シート２１では、その面速が８〜１２ｃｍ／ｓｅｃの範囲にある。第２の異物除去シート２１の面速が８ｃｍ／ｓｅｃ未満では、異物除去シート２１における通気度が低く、マスク１０Ｂの通気性が低下してマスク１０Ｂを着用した着用者４０のスムーズな呼吸が害される場合がある。面速が１２ｃｍ／ｓｅｃを超過すると、着用者４０の呼吸によって空気を吸引したときに、異物除去シート２１を通過する空気の速度が必要以上に速くなり、異物除去シート２１に塵埃や花粉等の異物を吸着させることができない場合があるとともに、異物除去シート１９に湿気を吸収させることができない場合がある。第２の異物除去シート２１は、その面速が第１の異物除去シート１９やヨウ素捕集シート２０のそれよりも小さい。
【０１１５】
ヨウ素捕集シート２０は、高比表面積かつ微細な多数の細孔を有して放射性有機ヨウ素やガス状の放射性セシウムを捕集する複数の活性炭素繊維から作られた通気性を有する繊維不織布が使用されている。ヨウ素捕集シート２０を形成するそれら繊維不織布の製法は、図１のマスク１０Ａの第１の異物除去シート１９を形成する繊維不織布のそれと同一である。なお、ヨウ素捕集シート２０には、複数の活性炭素繊維から作られた織物または編み物を使用することもできる。
【０１１６】
ヨウ素捕集シート２０を作る活性炭素繊維の平均繊維径は、５〜２０μｍの範囲、好ましくは７〜１８μｍの範囲、より好ましくは１０〜１６μｍの範囲にある。ヨウ素捕集シート２０を作る活性炭素繊維の平均繊維径を前記範囲にする理由は、図１のマスク１０Ａのそれと同様である。ヨウ素捕集シート２０の目付は、５０〜２００ｇ／ｍ２の範囲、好ましくは７０〜１８０ｇ／ｍ２の範囲、より好ましくは８０〜１５０ｇ／ｍ２の範囲にある。ヨウ素捕集シート２０の目付を前記範囲にする理由は、図１のマスク１０Ａのそれと同様である。ヨウ素捕集シート２０の厚み寸法は、０．５〜３ｍｍの範囲、好ましくは１〜３ｍｍの範囲、より好ましくは２〜３ｍｍの範囲にある。ヨウ素捕集シート２０の厚み寸法を前記範囲にする理由は、図１のマスク１０Ａのそれと同様である。
【０１１７】
ヨウ素捕集シート２０では、その面速が１２〜２０ｃｍ／ｓｅｃの範囲、好ましくは１５〜２０ｃｍ／ｓｅｃの範囲にある。面速が１２ｃｍ／ｓｅｃ未満では、ヨウ素捕集シート２０における通気度が低く、マスク１０Ｂの通気性が低下してマスク１０Ｂを着用した着用者４０のスムーズな呼吸が害される場合がある。面速が２０ｃｍ／ｓｅｃを超過すると、着用者４０の呼吸によって空気を吸引したときに、ヨウ素捕集シート２０を通過する空気の速度が必要以上に速くなり、ヨウ素捕集シート２０に放射性有機ヨウ素を捕集かつ吸着させることができない場合がある。
【０１１８】
ヨウ素捕集シート２０を作るそれら活性炭素繊維には、放射性有機ヨウ素やガス状の放射性セシウムを吸着する吸着剤が添着されている。吸着剤には、ヨウ化カリウムとヨウ素酸カリウムとのうちの少なくとも一方、または、トリエチレンジアミンＣ６Ｈ１２Ｎ２（アミン類）が使用されている。なお、アミン類としては、トリエチレンジアミンＣ６Ｈ１２Ｎ２の他に、図１のマスク１０Ａにおいて例示したアミン類を使用することもできる。
【０１１９】
吸着剤としてヨウ化カリウムやヨウ素酸カリウムを使用する場合、活性炭素繊維の単位重量（ｋｇ）に対するヨウ化カリウムとヨウ素酸カリウムとの添着量は、１０〜２５重量％／ｋｇの範囲、好ましくは１５〜２５重量％／ｋｇの範囲、より好ましくは２０〜２５重量％／ｋｇの範囲にある。ヨウ化カリウムやヨウ素酸カリウムの添着量を前記範囲にする理由は、図１のマスク１０Ａのそれと同様である。ヨウ素捕集シート２０では、放射性有機ヨウ素が活性炭素繊維やガス状の放射性セシウムのミクロポアに捕集されるとともに、活性炭素繊維に添着されたヨウ化カリウムやヨウ素酸カリウムに放射性有機ヨウ素やガス状の放射性セシウムが吸着される。
【０１２０】
吸着剤としてトリエチレンジアミンＣ６Ｈ１２Ｎ２を使用する場合、活性炭素繊維の単位重量（ｋｇ）に対するトリエチレンジアミンＣ６Ｈ１２Ｎ２の添着量は、１０〜２０重量％／ｋｇの範囲、好ましくは１２〜１８重量％の範囲、より好ましくは１３〜１６重量％の範囲にある。トリエチレンジアミンＣ６Ｈ１２Ｎ２の添着量を前記範囲にする理由は、図１のマスク１０Ａのそれと同様である。ヨウ素捕集シート２０では、放射性有機ヨウ素やガス状の放射性セシウムが活性炭素繊維のミクロポアに捕集されるとともに、活性炭素繊維に添着されたトリエチレンジアミンＣ６Ｈ１２Ｎ２が放射性有機ヨウ素やガス状の放射性セシウムを吸着する。
【０１２１】
吸着剤としてヨウ化カリウムやヨウ素酸カリウムを使用した場合、空気の湿度９５％におけるヨウ素捕集シート２０の放射性有機ヨウ素除去効率は、８５〜９０％の範囲にある。また、吸着剤としてトリエチレンジアミンＣ６Ｈ１２Ｎ２を使用した場合、空気の湿度９５％におけるヨウ素捕集シート２０の放射性有機ヨウ素捕集効率は、９５％以上、好ましくは９７％以上、より好ましくは９９．９９９％以上である。このマスク１０Ｂのヨウ素捕集シート２０の放射性有機ヨウ素捕集効率は、図１のマスク１０Ａのヨウ素捕集シート２０と同様に、図５に示す試験装置を利用し、その測定結果に基づいて割り出した。
【０１２２】
この使い捨てマスク１０Ｂは、図１の使い捨てマスク１０Ａが有する効果に加え、以下の効果を有する。使い捨てマスク１０Ｂは、ヨウ素捕集シート２０がポケット２９に挿脱可能であり、所定濃度の放射性有機ヨウ素やガス状の放射性セシウムを捕集・吸着したヨウ素捕集シート２０をポケット２９から取り出し、あらたなヨウ素捕集シート２０をポケット２９に収納することができるから、ヨウ素捕集シート２９を交換することでマスク１０Ｂを複数回使用することができ、マスク１０Ｂの使用期間を延ばすことができる。
【０１２３】
図９は、他の一例として示す使い捨てマスク１０Ｃの斜視図であり、図１０は、図９のマスク１０Ｃの分解斜視図である。図１１は、図９のＣ−Ｃ線端面図であり、図１２は、図９のＤ−Ｄ線端面図である。図１３は、着用状態で示すマスク１０Ｃの斜視図である。図９では、縦方向を矢印Ｌで示し、横方向を矢印Ｍで示す。使い捨てマスク１０Ｃは、着用者４０の口および鼻孔の全体を覆うフィルタ部材１１と、着用者４０の両耳に掛ける耳掛け部材１２（装着部材）とを有する。
【０１２４】
フィルタ部材１１は、横方向へ延びる上端部１５および下端部１６と、縦方向へ延びる両側部１８とを有する。フィルタ部材１１は、着用者４０の肌側に位置する第１の異物除去シート１９と、第１の異物除去シート１９の外側に位置するヨウ素捕集シート２０と、ヨウ素捕集シート２０の外側（着用者４０の非肌側）に位置する第２の異物除去シート２１とから形成されている。耳掛け部材１２は、伸縮性を有するゴム紐または布製の紐から作られ、着用者４０の左耳に掛ける第１耳掛け部材１２Ａと着用者４０の右耳に掛ける第２耳掛け部材１２Ｂとから形成されている。第１および第２耳掛け部材１２Ａ，１２Ｂは、その一部がフィルタ部材１１の両側部１８に連結されている。
【０１２５】
第１および第２の異物除去シート１９，２１は、略同形同大であり、所定の面積および所定の厚み寸法を有する略矩形のシート状に成型されている。ヨウ素捕集シート２０は、それら異物除去シート１９，２１よりもわずかに小さく、所定の面積および所定の厚み寸法を有する略矩形のシート状に成型されている。第１の異物除去シート１９とヨウ素捕集シート２０とは、異物除去シート１９の肌非対向面とヨウ素捕集シート２０の肌対向面とが互いに重なり合っている。それらシート１９，２０の面どうしは固着されていない。ヨウ素捕集シート２０と第２の異物除去シート２１とは、ヨウ素捕集シート２０の肌非対向面と異物除去シート２１の肌対向面とが互いに重なり合っている。それらシート２０，２１の面どうしは固着されていない。なお、それらシート１９，２０の面のうちの少なくとも一方にドット状または線状あるいはスパイラル状に塗布されたホットメルト接着剤（図示せず）を介してそれらシート１９，２０の面どうしが固着されていてもよく、それらシート２０，２１の面のうちの少なくとも一方にドット状または線状あるいはスパイラル状に塗布されたホットメルト接着剤（図示せず）を介してそれらシート２０，２１の面どうしが固着されていてもよい。ヨウ素捕集シート２０は、第１および第２の異物除去シート１９，２１の間に介在し、それら異物除去シート１９，２１に固定されている。
【０１２６】
第１の異物除去シート１９と第２の異物除去シート２１とは、ヨウ素捕集シート２０の上端縁から外側に延出するそれら異物除去シート１９，２１の上端部２７，２８が重なり合い、横方向へ線状または点状に延びる熱融着線によってそれら異物除去シート１９，２１の上端部２７，２８が熱融着（固着）され、ヨウ素捕集シート２０の下端縁から外側に延出するそれら異物除去シート１９，２１の下端部２３，２４が重なり合い、横方向へ線状または点状に延びる熱融着線によってそれら異物除去シート１９，２１の下端部２３，２４が熱融着（固着）されている（超音波シールまたはヒートシール）。さらに、ヨウ素捕集シート２０の両側縁から外側に延出するそれら異物除去シート１９，２１の両側部２５，２６が重なり合い、縦方向へ線状または点状に延びる熱融着線によってそれら異物除去シート１９，２１の両側部２５，２６が熱融着（固着）されている（超音波シールまたはヒートシール）。ヨウ素捕集シート２０は、その上下端縁や両側縁が異物除去シート１９，２１の上端部２７，２８や下端部２３，２４、両側部２５，２６から外側に露出することはなく、その全体が異物除去シート１９，２１に包被されている。
【０１２７】
第１耳掛け部材１２Ａは、その連結端部１４が第１および第２の異物除去シート１９，２１の両側部２５，２６の間に介在し、縦方向へドット状または線状あるいはスパイラル状に塗布されたホットメルト接着剤（図示せず）を介してシート１９，２１の両側部２５，２６に固着されている。第２耳掛け部材１２Ｂは、その連結端部１４が第１および第２の異物除去シート１９，２１の両側部２５，２６の間に介在し、縦方向へドット状または線状あるいはスパイラル状に塗布されたホットメルト接着剤（図示せず）を介してシート１９，２１の両側部２５，２６に固着されている。
【０１２８】
この使い捨てマスク１０Ｃを着用するには、図１３に示すように、それら耳掛け部材１２Ａ，１２Ｂの自由部１３を着用者４０の両耳に掛ける。着用者４０がマスク１０Ｃを着用すると、フィルタ部材１１の上下端部１５，１６および両側部１８と第１および第２耳掛け部材１２Ａ，１２Ｂとが着用者４０の顔面に当接し、フィルタ部材１１が着用者４０の口および鼻孔の全体を覆う。使い捨てマスク１０Ｃでは、第１耳掛け部材１２Ａの自由部１３を右耳に掛け、第２耳掛け部材１２Ｂの自由部１３を左耳に掛けることで、マスク１０Ｃが着用者４０の顔面に固定され、着用者４０の顔面からのマスク１０Ｃの不用意なズレ動きや脱落が防止される。
【０１２９】
着用者４０は、マスク１０Ｃを着用した状態で、放射性有機ヨウ素（ヨウ素ガス）が発生するおそれがある原子力関連施設や医療施設等の作業空間に入り、作業を行う。また、事故によって放射性有機ヨウ素が大気に放出された場合、その放射性有機ヨウ素によって汚染されるおそれがある地域の住人（着用者４０）がマスク１０Ｃを着用し、その地域で生活を行いながら放射性有機ヨウ素の半減期を待つ。
【０１３０】
第１の異物除去シート１９には、複数の熱可塑性合成樹脂繊維と複数の吸水性繊維と複数の抗菌性繊維とから作られた通気性を有する繊維不織布が使用されている。なお、第１の異物除去シート１９には、複数の熱可塑性合成樹脂繊維と複数の吸水性繊維とから作られた通気性を有する繊維不織布を使用することができ、または、複数の熱可塑性合成樹脂繊維から作られた通気性を有する繊維不織布を使用することができる。
【０１３１】
第１の異物除去シート１９の全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第１の異物除去シート１９は、熱可塑性合成樹脂繊維の他に、吸水性繊維を前記比率で含んでいるから、優れた湿気（水分）吸収機能を有する。また、第１の異物除去シート１９の全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。第１の異物除去シート１９は、熱可塑性合成樹脂繊維の他に、それが抗菌性繊維を前記比率で含むから、優れた抗菌作用および抗ウイルス作用を有する。
【０１３２】
第１の異物除去シート１９を作る熱可塑性合成樹脂繊維の平均繊維径は、３〜５０μｍの範囲、好ましくは１０〜５０μｍの範囲、より好ましくは２０〜５０μｍの範囲にある。第１の異物除去シート１９を作る熱可塑性合成樹脂繊維の平均繊維径を前記範囲にする理由は、図１のマスク１０Ａのそれと同様である。第１の異物除去シート１９では、それを作る熱可塑性合成樹脂繊維の平均繊維径が第２の異物除去シート２１を作る熱可塑性合成樹脂繊維のそれよりも大きい。
【０１３３】
第１の異物除去シート１９の目付は、１．５〜５０ｇ／ｍ２の範囲、好ましくは１．５〜３０ｇ／ｍ２の範囲にあり、より好ましくは１．５〜２０ｇ／ｍ２の範囲にある。第１の異物除去シート１９の目付を前記範囲にする理由は、図１のマスク１０Ａのそれと同様である。第１の異物除去シート１９では、その目付が第２の異物除去シート２１のそれよりも小さい。
【０１３４】
第１の異物除去シート１９の厚み寸法は、０．２〜３ｍｍの範囲、好ましくは、０．２〜２ｍｍの範囲、より好ましくは、０．２〜１ｍｍの範囲にある。第１の異物除去シート１９の厚み寸法を前記範囲にする理由は、図１のマスク１０Ａのそれと同様である。第１の異物除去シート１９では、その厚み寸法が第２の異物除去シートのそれよりも小さい。
【０１３５】
第１の異物除去シート１９では、その面速が１０〜１６ｃｍ／ｓｅｃの範囲にある。第１の異物除去シート１９は、その面速が第２の異物除去シート２１のそれよりも大きい。第１の異物除去シート１９の面速が１０ｃｍ／ｓｅｃ未満では、異物除去シート１９における通気度が低く、マスク１０Ｃの通気性が低下してマスク１０Ｃを着用した着用者４０のスムーズな呼吸が害される場合がある。面速が１６ｃｍ／ｓｅｃを超過すると、着用者４０の呼吸によって空気を吸引したときに、異物除去シート１９を通過する空気の速度が必要以上に速くなり、異物除去シート１９に湿気（水分）を吸収させることができない場合がある。
【０１３６】
第２の異物除去シート２１には、複数の熱可塑性合成樹脂繊維と複数の吸水性繊維と複数の抗菌性繊維とから作られた通気性を有する繊維不織布が使用されている。なお、第２の異物除去シート２１には、複数の熱可塑性合成樹脂繊維と複数の吸水性繊維とから作られた通気性を有する繊維不織布を使用することができ、または、複数の熱可塑性合成樹脂繊維から作られた通気性を有する繊維不織布を使用することができる。
【０１３７】
第１および第２の異物除去シート１９，２１を形成するそれら繊維不織布の製法は、図１のマスク１０Ａの異物除去シート１９，２１を形成するそれら繊維不織布のそれと同一であり、熱可塑性合成樹脂繊維は、図１のマスク１０Ａの異物除去シート１９，２１を形成するそれら繊維不織布のそれと同一である。吸水性繊維は、図１のマスク１０Ａの第１の異物除去シート１９に使用されるそれと同一であり、抗菌性繊維は、図１のマスク１０Ａの第２の異物除去シート２１に使用されるそれと同一である。第１および第２の異物除去シート１９，２１では、それらを作る熱可塑性合成樹脂繊維がエレクトレット化されている。
【０１３８】
第２の異物除去シート２１の全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第２の異物除去シート２１は、熱可塑性合成樹脂繊維の他に、吸水性繊維を前記比率で含んでいるから、優れた湿気吸収機能を有する。第２の異物除去シート２１の全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。第２の異物除去シート２１は、熱可塑性合成樹脂繊維の他に、抗菌性繊維を前記比率で含んでいるから、優れた抗菌作用および抗ウイルス作用を有する。
【０１３９】
第２の異物除去シート２１を作る熱可塑性合成樹脂繊維の平均繊維径は、０．５〜３０μｍの範囲、好ましくは０．５〜１５μｍ、より好ましくは０．５〜１０μｍの範囲にある。第２の異物除去シート２１を作る熱可塑性合成樹脂繊維の平均繊維径を前記範囲にする理由は、図１のマスク１０Ａのそれと同様である。第２の異物除去シート２１では、それを作る熱可塑性合成樹脂繊維の平均繊維径が第１の異物除去シート１９を作る熱可塑性合成樹脂繊維のそれよりも小さい。
【０１４０】
第２の異物除去シート２１の目付は、１０〜１００ｇ／ｍ２の範囲、好ましくは３０〜１００ｇ／ｍ２の範囲にあり、より好ましくは５０〜１００ｇ／ｍ２の範囲にある。第２の異物除去シート２１の目付を前記範囲にする理由は、図１のマスク１０Ａのそれと同様である。第２の異物除去シート２１では、その目付が第１の異物除去シート１９のそれよりも大きい。
【０１４１】
第２の異物除去シート２１の厚み寸法は、０．５〜３ｍｍの範囲、好ましくは１〜３ｍｍの範囲、より好ましくは２〜３ｍｍの範囲にある。第２の異物除去シート２１の厚み寸法を前記範囲にする理由は、図１のマスク１０Ａのそれと同様である。第２の異物除去シート２１では、その厚み寸法が第１の異物除去シート１９の厚み寸法よりも大きい。
【０１４２】
第２の異物除去シート２１では、その面速が８〜１２ｃｍ／ｓｅｃの範囲にある。第２の異物除去シート２１の面速が８ｃｍ／ｓｅｃ未満では、異物除去シート２１における通気度が低く、マスク１０Ｃの通気性が低下してマスク１０Ｃを着用した着用者４０のスムーズな呼吸が害される場合がある。面速が１２ｃｍ／ｓｅｃを超過すると、着用者４０の呼吸によって空気を吸引したときに、異物除去シート２１を通過する空気の速度が必要以上に速くなり、異物除去シート２１に塵埃や花粉等の異物を吸着させることができない場合があるとともに、異物除去シート１９に湿気を吸収させることができない場合がある。第２の異物除去シート２１は、その面速が第１の異物除去シート１９やヨウ素捕集シート２０のそれよりも小さい。
【０１４３】
ヨウ素捕集シート２０は、高比表面積かつ微細な多数の細孔を有して放射性有機ヨウ素やガス状の放射性セシウムを捕集する複数の活性炭素繊維から作られた通気性を有する繊維不織布が使用されている。ヨウ素捕集シート２０を形成するそれら繊維不織布の製法は、図１のマスク１０Ａの第１の異物除去シート１９を形成する繊維不織布のそれと同一である。なお、ヨウ素捕集シート２０には、複数の活性炭素繊維から作られた織物または編み物を使用することもできる。
【０１４４】
ヨウ素捕集シート２０を作る活性炭素繊維の平均繊維径は、５〜２０μｍの範囲、好ましくは７〜１８μｍの範囲、より好ましくは１０〜１６μｍの範囲にある。ヨウ素捕集シート２０を作る活性炭素繊維の平均繊維径を前記範囲にする理由は、図１のマスク１０Ａのそれと同様である。ヨウ素捕集シート２０の目付は、５０〜２００ｇ／ｍ２の範囲、好ましくは７０〜１８０ｇ／ｍ２の範囲、より好ましくは８０〜１５０ｇ／ｍ２の範囲にある。ヨウ素捕集シート２０の目付を前記範囲にする理由は、図１のマスク１０Ａのそれと同様である。ヨウ素捕集シート２０の厚み寸法は、０．５〜３ｍｍの範囲、好ましくは１〜３ｍｍの範囲、より好ましくは２〜３ｍｍの範囲にある。ヨウ素捕集シート２０の厚み寸法を前記範囲にする理由は、図１のマスク１０Ａのそれと同様である。
【０１４５】
ヨウ素捕集シート２０では、その面速が１２〜２０ｃｍ／ｓｅｃの範囲、好ましくは１５〜２０ｃｍ／ｓｅｃの範囲にある。面速が１２ｃｍ／ｓｅｃ未満では、ヨウ素捕集シート２０における通気度が低く、マスク１０Ｃの通気性が低下してマスク１０Ｃを着用した着用者４０のスムーズな呼吸が害される場合がある。面速が２０ｃｍ／ｓｅｃを超過すると、着用者４０の呼吸によって空気を吸引したときに、ヨウ素捕集シート２０を通過する空気の速度が必要以上に速くなり、ヨウ素捕集シート２０に放射性有機ヨウ素を捕集かつ吸着させることができない場合がある。
【０１４６】
ヨウ素捕集シート２０を作るそれら活性炭素繊維には、放射性有機ヨウ素やガス状の放射性セシウムを吸着する吸着剤が添着されている。吸着剤には、ヨウ化カリウムとヨウ素酸カリウムとのうちの少なくとも一方、または、トリエチレンジアミンＣ６Ｈ１２Ｎ２（アミン類）が使用されている。なお、アミン類としては、トリエチレンジアミンＣ６Ｈ１２Ｎ２の他に、図１のマスク１０Ａにおいて例示したアミン類を使用することもできる。
【０１４７】
吸着剤としてヨウ化カリウムやヨウ素酸カリウムを使用する場合、活性炭素繊維の単位重量（ｋｇ）に対するヨウ化カリウムとヨウ素酸カリウムとの添着量は、１０〜２５重量％／ｋｇの範囲、好ましくは１５〜２５重量％／ｋｇの範囲、より好ましくは２０〜２５重量％／ｋｇの範囲にある。ヨウ化カリウムやヨウ素酸カリウムの添着量を前記範囲にする理由は、図１のマスク１０Ａのそれと同様である。ヨウ素捕集シート２０では、放射性有機ヨウ素が活性炭素繊維やガス状の放射性セシウムのミクロポアに捕集されるとともに、活性炭素繊維に添着されたヨウ化カリウムやヨウ素酸カリウムに放射性有機ヨウ素やガス状の放射性セシウムが吸着される。
【０１４８】
吸着剤としてトリエチレンジアミンＣ６Ｈ１２Ｎ２を使用する場合、活性炭素繊維の単位重量（ｋｇ）に対するトリエチレンジアミンＣ６Ｈ１２Ｎ２の添着量は、１０〜２０重量％／ｋｇの範囲、好ましくは１２〜１８重量％の範囲、より好ましくは１３〜１６重量％の範囲にある。トリエチレンジアミンＣ６Ｈ１２Ｎ２の添着量を前記範囲にする理由は、図１のマスク１０Ａのそれと同様である。ヨウ素捕集シート２０では、放射性有機ヨウ素が活性炭素繊維やガス状の放射性セシウムのミクロポアに捕集されるとともに、活性炭素繊維に添着されたトリエチレンジアミンＣ６Ｈ１２Ｎ２が放射性有機ヨウ素やガス状の放射性セシウムを吸着する。
【０１４９】
吸着剤としてヨウ化カリウムやヨウ素酸カリウムを使用した場合、空気の湿度９５％におけるヨウ素捕集シート２０の放射性有機ヨウ素除去効率は、８５〜９０％の範囲にある。また、吸着剤としてトリエチレンジアミンＣ６Ｈ１２Ｎ２を使用した場合、空気の湿度９５％におけるヨウ素捕集シート２０の放射性有機ヨウ素捕集効率は、９５％以上、好ましくは９７％以上、より好ましくは９９．９９９％以上である。このマスク１０Ｃのヨウ素捕集シート２０の放射性有機ヨウ素捕集効率は、図１のマスク１０Ａのヨウ素捕集シート２０と同様に、図５に示す試験装置を利用し、その測定結果に基づいて割り出した。
【０１５０】
使い捨てマスク１０Ｃは、ヨウ素捕集シート２０を作る複数の活性炭素繊維が放射性有機ヨウ素やガス状の放射性セシウムを捕集し、それら活性炭素繊維に添着された吸着剤が放射性有機ヨウ素やガス状の放射性セシウムを吸着するから、空気中に放射性有機ヨウ素や放射性セシウムが含まれていたとしても、放射性有機ヨウ素や放射性セシウムがマスク１０Ｃに確実に捕集かつ吸着され、放射性有機ヨウ素や放射性セシウムが通過することはなく、マスク１０Ｃを着用した着用者４０の体内への放射性有機ヨウ素や放射性セシウムの進入を防ぐことができる。
【０１５１】
使い捨てマスク１０Ｃは、それが所定濃度の放射性有機ヨウ素やガス状の放射性セシウムを捕集・吸着した後、直ちに廃棄される使い捨てであり、活性炭素繊維に捕集されかつ吸着剤に吸着された放射性有機ヨウ素や放射性セシウムが活性炭素繊維や吸着剤から再び放出されることはなく、放射性有機ヨウ素や放射性セシウムのマスク１０Ｃから他所への拡散を防ぐことができるとともに、廃棄されたマスク１０Ｃに放射性有機ヨウ素を捕集・吸着させた状態でその半減期を安全に迎えることができる。
【０１５２】
使い捨てマスク１０Ｃは、放射性有機ヨウ素やガス状の放射性セシウムを捕集・吸着するのみならず、通常のマスク機能を備えており、第１および第２の異物除去シート１０，２１によって塵埃や花粉、雑菌、ウイルス等の異物が捕集されるから、ヨウ素捕集シート２０への塵埃や花粉の付着を防ぐことができるとともに、マスク１０Ｃを着用した着用者４０の体内へのそれら異物の進入を防ぐことができる。なお、第１および第２の異物除去シート１９，２１を作る熱可塑性合成樹脂繊維がエレクトレット化され、それら異物除去シート１９，２１の静電作用によって異物除去シート１９，２１に進入した塵埃や花粉が異物除去シート１９，２１に効率よく捕集されるから、ヨウ素捕集シート２０への塵埃や花粉の付着を確実に防ぐことができ、着用者４０の体内への塵埃や花粉の進入を確実に防ぐことができる。
【０１５３】
使い捨てマスク１０Ｃは、第１および第２の異物除去シート１９，２１が複数の吸水性繊維を含有するから、それら異物除去シート１９，２１を通過する空気中に含まれる湿気や着用者４０の呼気に含まれる湿気が吸水性繊維に吸収され、捕集シート２０を作る活性炭素繊維の乾燥状態を維持することができ、活性炭素繊維に添着された吸着剤が空気中の湿気や着用者４０の呼気に含まれる湿気によって活性炭素繊維から脱落することはなく、湿気によって活性炭素繊維の表面がぬれることもなく、放射性有機ヨウ素に対する活性炭素繊維の捕集機能の低下を防ぐことができるとともに、放射性有機ヨウ素に対する吸着剤の吸着機能の低下を防ぐことができる。
【０１５４】
使い捨てマスク１０Ｃは、第１および第２の異物除去シート１０，２１が複数の抗菌性繊維を含有するから、異物除去シート１９，２１を通過する空気中に含まれる雑菌やウイルスが抗菌性繊維によって殺菌または除菌され、着用者４０の体内への雑菌やウイルスの進入を防ぐことができる。また、着用者４０の呼気に含まれる雑菌やウイルスが抗菌性繊維によって殺菌または除菌されるから、マスク１０Ｃの外部への雑菌やウイルスの放出を防ぐことができる。
【０１５５】
使い捨てマスク１０Ｃでは、第２の異物除去シート２１の面速が第１の異物除去シート１９やヨウ素捕集シート２０のそれよりも小さく、着用者４０が空気を吸引したときや空気をはき出すときに、マスク１０Ｃにおける空気の流動が第２の異物除去シート２１によって抑制され、吸引された空気やはき出された空気がヨウ素捕集シート２０全域に満遍なく通流し、ヨウ素捕集シート２０の一部を素早く通過することがなく、空気が第１の異物除去シート１９の一部を素早く通過することがないから、ヨウ素捕集シート２０に放射性有機ヨウ素やガス状の放射性セシウムを確実に捕集かつ吸着させることができ、空気に含まれる湿気を第１および第２の異物除去シート１９，２１に確実に吸収させることができる。
【０１５６】
図１４は、マスク１０Ｃに使用する第１の異物除去シート１９の他の一例を示す斜視図であり、図１５は、マスク１０Ｃに使用する第２の異物除去シート２１の他の一例を示す斜視図である。図１４に示す第１の異物除去シート１９は、ヨウ素捕集シート２０（図示せず）の側に位置する吸水性繊維不織布１９ａと、着用者４０の肌側に位置する撥水性（疎水性）繊維不織布１９ｂとから形成されている。
【０１５７】
吸水性繊維不織布１９ａと撥水性繊維不織布１９ｂとは、略同形同大であり、横方向へ長い矩形にシート状成型されている。吸水性繊維不織布１９ａは、既述の吸水性繊維を使用し、図１のマスク１０Ａの第１の異物除去シート１９を形成するそれら繊維不織布と同一の製法で製造される。撥水性繊維不織布１９ｂは、複数の熱可塑性合成樹脂繊維を使用し、図１のマスク１０Ａの第１の異物除去シート１９を形成するそれら繊維不織布と同一の製法で製造される。
【０１５８】
図１４の第１の異物除去シート１９では、吸水性繊維不織布１９ａの肌対向面と撥水性繊維不織布１９ｂの肌非対向面とが互いに重なり合っている。それら不織布１９ａ，１９ｂの面どうしは固着されていない。第１の異物除去シート１９とヨウ素捕集シート２０とは、異物除去シート１９の吸水性繊維不織布１９ａの肌非対向面とヨウ素捕集シート２０の肌対向面とが互いに重なり合っている。不織布１９ａおよびシート２０の面どうしは固着されていない。なお、それら不織布１９ａ，１９ｂの面のうちの少なくとも一方にドット状または線状あるいはスパイラル状に塗布されたホットメルト接着剤（図示せず）を介してそれら不織布１９ａ，１９ｂの面どうしが固着されていてもよく、不織布１９ａおよびシート２０の面のうちの少なくとも一方にドット状または線状あるいはスパイラル状に塗布されたホットメルト接着剤（図示せず）を介して不織布１９ａおよびシート２０の面どうしが固着されていてもよい。図１４の第１の異物除去シート１９の目付や厚み寸法、面速、熱可塑性合成樹脂繊維の平均繊維径は、マスク１０Ａにおける第１の異物除去シート１９のそれらと同一である。
【０１５９】
図１５に示す第２の異物除去シート２１は、ヨウ素捕集シート２０（図示せず）の側に位置する吸水性繊維不織布２１ａと、吸水性繊維不織布２１ａの外側に位置する撥水性（疎水性）繊維不織布２１ｂとから形成されている。吸水性繊維不織布２１ａと撥水性繊維不織布２１ｂとは、略同形同大であり、横方向へ長い略矩形にシート状成型されている。
【０１６０】
図１５の第２の異物除去シート２１では、吸水性繊維不織布２１ａの肌非対向面と撥水性繊維不織布２１ｂの肌対向面とが互いに重なり合っている。それら不織布２１ａ，２１ｂの面どうしは固着されていない。第２の異物除去シート２１とヨウ素捕集シート２０とは、異物除去シート２１の吸水性繊維不織布２１ａの肌対向面とヨウ素捕集シート２０の肌非対向面とが互いに重なり合っている。不織布２１ａおよびシート２０の面どうしは固着されていない。なお、それら不織布２１ａ，２１ｂの面のうちの少なくとも一方にドット状または線状あるいはスパイラル状に塗布されたホットメルト接着剤（図示せず）を介してそれら不織布２１ａ，２１ｂの面どうしが固着されていてもよく、不織布２１ａおよびシート２０の面のうちの少なくとも一方にドット状または線状あるいはスパイラル状に塗布されたホットメルト接着剤（図示せず）を介して不織布１９ａおよびシート２０の面どうしが固着されていてもよい。
【０１６１】
図１４の第１の異物除去シート１９や図１５の第２の異物除去シート２１を使用したマスク１０Ｃは、それら異物除去シート１９，２１を形成する吸水性繊維不織布１９ａ，２１ａがそこを通過する空気中に含まれる湿気や着用者４０の呼気に含まれる湿気を吸収し、捕集シート２０を作る活性炭素繊維の乾燥状態を維持することができ、活性炭素繊維に添着された吸着剤が空気中の湿気や着用者４０の呼気に含まれる湿気によって活性炭素繊維から脱落することはなく、湿気によって活性炭素繊維の表面がぬれることもなく、放射性有機ヨウ素に対する活性炭素繊維の捕集機能の低下を防ぐことができるとともに、放射性有機ヨウ素に対する吸着剤の吸着機能の低下を防ぐことができる。
【０１６２】
図１６は、マスク１０Ｃに使用するヨウ素捕集シート２０の他の一例を示す斜視図であり、図１７は、図１６のヨウ素捕集シート２０を使用したマスク１０Ｃの図１１と同様の端面図である。このヨウ素捕集シート２０は、放射性有機ヨウ素やガス状の放射性セシウムを捕集する複数の活性炭素繊維から作られた通気性を有する繊維不織布であり、横方向へ長い略矩形のシート状に成型されており、さらに、横方向へ起伏を繰り返すようにジグザグに整然と折り曲げられている（折り畳まれている）。ヨウ素捕集シート２０は、縦方向へ延びるとともに横方向へ略等間隔で並ぶ複数の山部３０と複数の谷部３１とを有する。ヨウ素捕集シート２０を作る活性炭素繊維には、既述の吸着剤が添着されている。
【０１６３】
このヨウ素捕集シート２０の横方向への折り曲げ回数は、シート２０の横方向の長さ寸法１ｃｍに対して１０〜４０回の範囲、好ましくは２０〜３０回の範囲にある。このヨウ素捕集シート２０の山部３０から谷部３１までの高さ寸法は、０．５〜３ｍｍの範囲にある。なお、折り曲げる前のヨウ素捕集シート２０の１枚の目付や厚み寸法、面速は、マスク１０Ａにおけるヨウ素捕集シート２０のそれらと同一である。また、ヨウ素捕集シート２０が縦方向へ起伏を繰り返すようにジグザグに整然と折り曲げられ（折り畳まれ）、横方向へ延びるとともに縦方向へ等間隔で並ぶ複数の山部３０と複数の谷部３１とを有するものであってもよい。この場合、縦方向への折り曲げ回数は、シート２０の縦方向の長さ寸法１ｃｍに対して１０〜４０回の範囲、好ましくは２０〜３０回の範囲にある。
【０１６４】
図１６のヨウ素捕集シート２０では、その肌対向面と第１の異物除去シート１９の肌非対向面とが互いに重なり合い、その肌非対向面と第２の異物除去シート２１の肌対向面とが互いに重なり合っている。それらシート１９，２０の面どうしおよびそれらシート２０，２１の面どうしは固着されていない。なお、
それらシート１９，２０の面のうちの少なくとも一方にドット状または線状あるいはスパイラル状に塗布されたホットメルト接着剤（図示せず）をそれらシート１９，２０の面どうしが介して固着されていてもよく、それらシート２０，２１の面のうちの少なくとも一方にドット状または線状あるいはスパイラル状に塗布されたホットメルト接着剤（図示せず）をそれらシート２０，２１の面どうしが介して固着されていてもよい。
【０１６５】
図１６のヨウ素捕集シート２０は、それが横方向（または縦方向）へ前記範囲の折り曲げ回数で折り曲げされているから、折り曲げられていない（折り畳まれていない）シート２０と比較し、シート２０の表面積が増加し、その分空気が活性炭素繊維に多く接触し、放射性有機ヨウ素の捕集・吸着機能を向上させることができる。その結果、マスク１０Ｃにおける放射性有機ヨウ素の捕集・吸着機能を向上させることができ、マスク１０Ｃに放射性有機ヨウ素を確実に捕集・吸着させることができる。なお、ヨウ素捕集シート２０の折り曲げ回数が１０回未満では、シート２０の表面積の増加分が不足し、シート２０における放射性有機ヨウ素の捕集・吸着機能を向上させることができない場合がある。
【０１６６】
図１６のヨウ素捕集シート２０を使用したマスク１０Ｃでは、ヨウ素捕集シート２０を折り曲げることで、折り曲げないヨウ素捕集シート２０と比較し、ヨウ素捕集シート２０の嵩を稼ぐことができ、その分ヨウ素捕集シート２０の目付や表面積を増加させることができるから、ヨウ素捕集シート２０を作る複数の活性炭素繊維に放射性有機ヨウ素やガス状の放射性セシウムを確実に捕集させることができ、それら活性炭素繊維に添着された吸着剤に放射性有機ヨウ素やガス状の放射性セシウムを確実に吸着させることができる。マスク１０Ｃは、空気中に放射性有機ヨウ素やガス状の放射性セシウムが含まれていたとしても、放射性有機ヨウ素や放射性セシウムがマスク１０Ｃに確実に捕集かつ吸着され、放射性有機ヨウ素や放射性セシウムが通過することはなく、マスク１０Ｃを着用した着用者４０の体内への放射性有機ヨウ素や放射性セシウムの進入を防ぐことができる。
【０１６７】
図１８は、マスク１０Ｃに使用するヨウ素捕集シート２０の他の一例を示す斜視図であり、図１９は、図１８のヨウ素捕集シート２０を使用したマスク１０Ｃの図１１と同様の端面図である。このヨウ素捕集シート２０は、放射性有機ヨウ素やガス状の放射性セシウムを捕集する複数の活性炭素繊維から作られた通気性を有する繊維不織布であり、横方向へ長い略矩形にシート状成型されており、さらに、横方向へ起伏を繰り返すようにジグザグに整然と折り曲げられた（折り畳まれた）ヨウ素捕集シート２０ａと、縦方向へ起伏を繰り返すようにジグザグに整然と折り曲げられた（折り畳まれた）ヨウ素捕集シート２０ｂとから形成されている。
【０１６８】
ヨウ素捕集シート２０ａは、横方向へ並ぶ複数の山部３０と複数の谷部３１とを有し、ヨウ素捕集シート２０ｂは、縦方向へ並ぶ複数の山部３０と複数の谷部３１とを有する。ヨウ素捕集シート２０ａ，２０ｂを作る活性炭素繊維には、既述の吸着剤が添着されている。なお、ヨウ素捕集シート２０は、横方向へ起伏を繰り返すようにジグザグに整然と折り曲げられた２枚のヨウ素捕集シート２０ａが厚み方向へ重なり合うものであってもよく、または、縦方向へ起伏を繰り返すようにジグザグに整然と折り曲げられた２枚のヨウ素捕集シート２０ｂが厚み方向へ重なり合うものであってもよい。
【０１６９】
ヨウ素捕集シート２０ａの横方向への折り曲げ回数は、シート２０ａの横方向の長さ寸法１ｃｍに対して１０〜４０回の範囲、好ましくは２０〜３０回の範囲にある。ヨウ素捕集シート２０ｂの縦方向への折り曲げ回数は、シート２０ｂの縦方向の長さ寸法１ｃｍに対して１０〜４０回の範囲、好ましくは２０〜３０回の範囲にある。ヨウ素捕集シート２０ａ，２０ｂの山部３０から谷部３１までの高さ寸法は、０．５〜３ｍｍの範囲にある。なお、折り曲げる前のヨウ素捕集シート２０ａ，２０ｂの１枚の目付や厚み寸法、面速は、マスク１０Ａにおけるヨウ素捕集シート２０のそれらと同一である。
【０１７０】
図１８のヨウ素捕集シート２０では、ヨウ素捕集シート２０ａの肌非対向面とヨウ素捕集シート２０ｂの肌対向面とが互いに重なり合っている。それらシート２０ａ，２０ｂの面どうしは固着されていない。なお、それらシート２０ａ，２０ｂの面のうちの少なくとも一方にドット状または線状あるいはスパイラル状に塗布されたホットメルト接着剤（図示せず）を介してそれらシート２０ａ，２０ｂの面どうしが固着されていてもよい。ヨウ素捕集シート２０では、ヨウ素捕集シート２０ａの肌対向面と第１の異物除去シート１９の肌非対向面とが互いに重なり合い、ヨウ素捕集シート２０ｂの肌非対向面と第２の異物除去シート２１の肌対向面とが互いに重なり合っている。それらシート１９，２０ａの面どうしおよびそれらシート２０ｂ，２１の面どうしは固着されていない。なお、それらシート１９，２０ａの面のうちの少なくとも一方にドット状または線状あるいはスパイラル状に塗布されたホットメルト接着剤（図示せず）を介してそれらシート１９，２０ａの面どうしが固着されていてもよく、それらシート２０ｂ，２１の面のうちの少なくとも一方にドット状または線状あるいはスパイラル状に塗布されたホットメルト接着剤（図示せず）を介してそれらシート２０ｂ，２１の面どうしが固着されていてもよい。
【０１７１】
図１８のヨウ素捕集シート２０は、横方向へ起伏を繰り返すように前記範囲の折り曲げ回数で折り曲げされたヨウ素捕集シート２０ａと、縦方向へ起伏を繰り返すように前記範囲の折り曲げ回数で折り曲げされたヨウ素捕集シート２０ｂとから形成されているから、折り曲げられていない（折り畳まれていない）シート２０と比較し、それらシート２０ａ，２０ｂの表面積が増加し、その分空気が活性炭素繊維に多く接触し、放射性有機ヨウ素の捕集・吸着機能を向上させることができる。その結果、マスク１０Ｃにおける放射性有機ヨウ素の捕集・吸着機能を向上させることができ、マスク１０Ｃに放射性有機ヨウ素を確実に捕集・吸着させることができる。なお、ヨウ素捕集シート２０ａ，２０ｂの折り曲げ回数が１０回未満では、シート２０ａ，２０ｂの表面積の増加分が不足し、シート２０ａ，２０ｂにおける放射性有機ヨウ素の捕集・吸着機能を向上させることができない場合がある。
【０１７２】
図１８のヨウ素捕集シート２０を使用したマスク１０Ｃでは、ヨウ素捕集シート２０ａ，２０ｂを折り曲げることで、折り曲げないヨウ素捕集シート２０と比較し、ヨウ素捕集シート２０ａ，２０ｂの嵩を稼ぐことができ、その分ヨウ素捕集シート２０ａ，２０ｂの目付や表面積を増加させることができるから、ヨウ素捕集シート２０ａ，２０ｂを作る複数の活性炭素繊維に放射性有機ヨウ素やガス状の放射性セシウムを確実に捕集させることができ、それら活性炭素繊維に添着された吸着剤に放射性有機ヨウ素やガス状の放射性セシウムを確実に吸着させることができる。マスク１０Ｃは、空気中に放射性有機ヨウ素やガス状の放射性セシウムが含まれていたとしても、放射性有機ヨウ素や放射性セシウムがマスク１０Ｃに確実に捕集かつ吸着され、放射性有機ヨウ素や放射性セシウムが通過することはなく、マスク１０Ｃを着用した着用者４０の体内への放射性有機ヨウ素や放射性セシウムの進入を防ぐことができる。
【０１７３】
図２０は、他の一例として示す使い捨てマスク１０Ｄの斜視図であり、図２１は、背面側から示す使い捨てマスク１０Ｄの斜視図である。図２２は、図２０のマスク１０Ｄの分解斜視図であり、図２３は、図２０のＥ−Ｅ線端面図である。図２４は、着用状態で示すマスク１０Ｄの斜視図である。使い捨てマスク１０Ｄは、着用者４０の口および鼻孔の全体を覆うフィルタ部材１１と、着用者４０の頭部に掛ける装着部材１２と、着用者４０の顔面に当接するパッド部材３２（図２１参照）とを有する。
【０１７４】
フィルタ部材１１は、中央部３３と周縁部３４とを有し、その中央部３３が着用者４０の顔面から前方へ凸となる立体形状（立体構造）に成形されている。フィルタ部材１１は、着用者４０の肌側に位置する第１の異物除去シート１９と、第１の異物除去シート１９の外側に位置するヨウ素捕集シート２０と、ヨウ素捕集シート２０の外側（着用者４０の非肌側）に位置する第２の異物除去シート２１とから形成されている。装着部材１２は、伸縮性を有するゴム紐から作られ、着用者４０の耳下の頭部に掛ける第１装着部材１２Ａと着用者４０の耳上の頭部に掛ける第２装着部材１２Ｂとから形成されている。第１および第２装着部材１２Ａ，１２Ｂは、その端部が長さ調節治具３７に連結され、治具３７においてその長さ寸法を自由に調節することができる。
【０１７５】
第１および第２の異物除去シート１９，２１は、略同形同大であり、所定の面積および所定の厚み寸法を有する略円形のシート状に成型されている。ヨウ素捕集シート２０は、それら異物除去シート１９，２１よりもわずかに小さく、所定の面積および所定の厚み寸法を有する略円形のシート状に成型されている。なお、図２１に示すように、第１の異物除去シート１９にはプレス加工によって複数の熱融着線３８が形成され、その熱融着線３８によって異物除去シート１９の剛性が増加し、異物除去シート１９，２１やヨウ素捕集シート２０の立体形状が維持されている。それにともなってフィルタ部材１１の中央部３３における着用者４０の顔面から前方へ凸となる立体形状が維持されている。
【０１７６】
第１の異物除去シート１９とヨウ素捕集シート２０とは、異物除去シート１９の肌非対向面とヨウ素捕集シート２０の肌対向面とが互いに重なり合っている。それらシート１９，２０の面どうしは固着されていない。ヨウ素捕集シート２０と第２の異物除去シート２１とは、ヨウ素捕集シート２０の肌非対向面と異物除去シート２１の肌対向面とが互いに重なり合っている。それらシート２０，２１の面どうしは固着されていない。なお、それらシート１９，２０の面のうちの少なくとも一方にドット状または線状あるいはスパイラル状に塗布されたホットメルト接着剤（図示せず）を介してそれらシート１９，２０の面どうしが固着されていてもよく、それらシート２０，２１の面のうちの少なくとも一方にドット状または線状あるいはスパイラル状に塗布されたホットメルト接着剤（図示せず）を介してそれらシート２０，２１の面どうしが固着されていてもよい。ヨウ素捕集シート２０は、第１および第２の異物除去シート１９，２１の間に介在し、それら異物除去シート１９，２１に固定されている。
【０１７７】
第１の異物除去シート１９と第２の異物除去シート２１とは、ヨウ素捕集シート２０の周縁から外側に延出するそれら異物除去シート１９，２１の周縁部３５，３６が重なり合い、それら周縁部３５，３６のうちの少なくとも一方にドット状または線状あるいはスパイラル状に塗布されたホットメルト接着剤（図示せず）を介して固着されている。ヨウ素捕集シート２０は、その周縁が異物除去シート１９，２１の周縁部３５，３６から外側に露出することはなく、その全体が異物除去シート１９，２１に包被されている。
【０１７８】
それら長さ調節治具３７は、その取付座３９が第１および第２の異物除去シート１９，２１の周縁部３５，３６の間に介在し、ホットメルト接着剤によって異物除去シート１９，２１の周縁部３５，３６に固着されている。パッド部材３２は、発泡ウレタンや発泡スチロール等の柔軟性を有する発泡材から作られ、略環状に成型されている。パッド部材３２は、その外周縁部が略環状に延びる熱融着線によって第１の異物除去シート１９の周縁部３５に熱融着（固着）されている（超音波シールまたはヒートシール）。パッド部材３２の内周縁部は、マスク１０Ｄの中央部３３に向かって張り出している。
【０１７９】
この使い捨てマスク１０Ｄを着用するには、長さ調節治具３７において第１および第２装着部材１２Ａ，１２Ｂの長さ寸法を調節した後、図２４に示すように、第１装着部材１２Ａを着用者の耳下の頭部に掛けるとともに、第２装着部材１２Ｂを着用者の耳上の頭部に掛ける。着用者４０がマスク１０Ｄを着用すると、パッド部材３２が着用者４０の顔面に当接し、フィルタ部材１１が着用者４０の口および鼻孔の全体を覆う。使い捨てマスク１０Ｄでは、第１および第２耳掛け部材１２Ａ，１２Ｂの自由部１３を頭部に掛けることで、マスク１０Ｄが着用者４０の顔面に固定され、着用者４０の顔面からのマスク１０Ｄの不用意なズレ動きや脱落が防止される。
【０１８０】
着用者４０は、マスク１０Ｄを着用した状態で、放射性有機ヨウ素（ヨウ素ガス）が発生するおそれがある原子力関連施設や医療施設等の作業空間に入り、作業を行う。また、事故によって放射性有機ヨウ素が大気に放出された場合、その放射性有機ヨウ素やガス状の放射性セシウムによって汚染されるおそれがある地域の住人（着用者４０）がマスク１０Ｄを着用し、その地域で生活を行いながら放射性有機ヨウ素の半減期を待つ。
【０１８１】
第１の異物除去シート１９には、複数の熱可塑性合成樹脂繊維と複数の吸水性繊維とから作られた通気性を有する繊維不織布が使用されている。なお、第１の異物除去シート１９には、複数の熱可塑性合成樹脂繊維と複数の吸水性繊維と複数の抗菌性繊維とから作られた通気性を有する繊維不織布を使用することができ、または、複数の熱可塑性合成樹脂繊維から作られた通気性を有する繊維不織布を使用することができる。
【０１８２】
第１の異物除去シート１９の全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第１の異物除去シート１９は、熱可塑性合成樹脂繊維の他に、吸水性繊維を前記比率で含んでいるから、優れた湿気（水分）吸収機能を有する。また、第１の異物除去シート１９が抗菌性繊維を含む場合、第１の異物除去シート１９の全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。
【０１８３】
第１の異物除去シート１９を作る熱可塑性合成樹脂繊維の平均繊維径は、３〜５０μｍの範囲、好ましくは１０〜５０μｍの範囲、より好ましくは２０〜５０μｍの範囲にある。第１の異物除去シート１９を作る熱可塑性合成樹脂繊維の平均繊維径を前記範囲にする理由は、図１のマスク１０Ａのそれと同様である。第１の異物除去シート１９では、それを作る熱可塑性合成樹脂繊維の平均繊維径が第２の異物除去シート２１を作る熱可塑性合成樹脂繊維のそれよりも大きい。
【０１８４】
第１の異物除去シート１９の目付は、１．５〜５０ｇ／ｍ２の範囲、好ましくは１．５〜３０ｇ／ｍ２の範囲にある。第１の異物除去シート１９の目付を前記範囲にする理由は、図１のマスク１０Ａのそれと同様である。第１の異物除去シート１９では、その目付が第２の異物除去シート２１のそれよりも小さい。第１の異物除去シート１９の厚み寸法は、０．２〜３ｍｍの範囲、好ましくは、０．２〜２ｍｍの範囲の範囲にある。第１の異物除去シート１９の厚み寸法を前記範囲にする理由は、図１のマスク１０Ａのそれと同様である。第１の異物除去シート１９では、その厚み寸法が第２の異物除去シート２１のそれよりも小さい。
【０１８５】
第１の異物除去シート１９では、その面速が１０〜１６ｃｍ／ｓｅｃの範囲にある。第１の異物除去シート１９は、その面速が第２の異物除去シート２１のそれよりも大きい。第１の異物除去シート１９の面速が１０ｃｍ／ｓｅｃ未満では、異物除去シート１９における通気度が低く、マスク１０Ｄの通気性が低下してマスク１０Ｄを着用した着用者４０のスムーズな呼吸が害される場合がある。面速が１６ｃｍ／ｓｅｃを超過すると、着用者４０の呼吸によって空気を吸引したときに、異物除去シート１９を通過する空気の速度が必要以上に速くなり、異物除去シート１９に湿気（水分）を吸収させることができない場合がある。
【０１８６】
第２の異物除去シート２１には、複数の熱可塑性合成樹脂繊維と複数の吸水性繊維と複数の抗菌性繊維とから作られた通気性を有する繊維不織布が使用されている。なお、第２の異物除去シート２１には、複数の熱可塑性合成樹脂繊維から作られた通気性を有する繊維不織布を使用することができる。
【０１８７】
第１および第２の異物除去シート１９，２１を形成するそれら繊維不織布の製法は、図１のマスク１０Ａの異物除去シート１９，２１を形成するそれら繊維不織布のそれと同一であり、熱可塑性合成樹脂繊維は、図１のマスク１０Ａの異物除去シート１９，２１を形成するそれら繊維不織布のそれと同一である。吸水性繊維は、図１のマスク１０Ａの異物除去シート１９，２１に使用されるそれと同一である。第２の異物除去シート２１では、それらを作る熱可塑性合成樹脂繊維がエレクトレット化されている。
【０１８８】
第２の異物除去シート２１の全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第２の異物除去シート２１は、熱可塑性合成樹脂繊維の他に、吸水性繊維を前記比率で含んでいるから、優れた湿気吸収機能を有する。第２の異物除去シート２１の全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。第２の異物除去シート２１は、熱可塑性合成樹脂繊維の他に、抗菌性繊維を前記比率で含んでいるから、優れた抗菌作用および抗ウイルス作用を有する。
【０１８９】
第２の異物除去シート２１を作る熱可塑性合成樹脂繊維の平均繊維径は、０．５〜３０μｍの範囲、好ましくは０．５〜１５μｍ、より好ましくは０．５〜１０μｍの範囲にある。第２の異物除去シート２１を作る熱可塑性合成樹脂繊維の平均繊維径を前記範囲にする理由は、図１のマスク１０Ａのそれと同様である。第２の異物除去シート２１では、それを作る熱可塑性合成樹脂繊維の平均繊維径が第１の異物除去シート１９を作る熱可塑性合成樹脂繊維のそれよりも小さい。
【０１９０】
第２の異物除去シート２１の目付は、１０〜１００ｇ／ｍ２の範囲、好ましくは３０〜１００ｇ／ｍ２の範囲にあり、より好ましくは５０〜１００ｇ／ｍ２の範囲にある。第２の異物除去シート２１の目付を前記範囲にする理由は、図１のマスク１０Ａのそれと同様である。第２の異物除去シート２１では、その目付が第１の異物除去シート１９のそれよりも大きい。
【０１９１】
第２の異物除去シート２１の厚み寸法は、０．５〜３ｍｍの範囲、好ましくは１〜３ｍｍの範囲、より好ましくは２〜３ｍｍの範囲にある。第２の異物除去シート２１の厚み寸法を前記範囲にする理由は、図１のマスク１０Ａのそれと同様である。第２の異物除去シート２１では、その厚み寸法が第１の異物除去シート１９の厚み寸法よりも大きい。
【０１９２】
第２の異物除去シート２１では、その面速が８〜１２ｃｍ／ｓｅｃの範囲にある。第２の異物除去シート２１の面速が８ｃｍ／ｓｅｃ未満では、異物除去シート２１における通気度が低く、マスク１０Ｄの通気性が低下してマスク１０Ｄを着用した着用者４０のスムーズな呼吸が害される場合がある。面速が１２ｃｍ／ｓｅｃを超過すると、着用者４０の呼吸によって空気を吸引したときに、異物除去シート２１を通過する空気の速度が必要以上に速くなり、異物除去シート２１に塵埃や花粉等の異物を吸着させることができない場合があるとともに、異物除去シート１９に湿気を吸収させることができない場合がある。第２の異物除去シート２１は、その面速が第１の異物除去シート１９やヨウ素捕集シート２０のそれよりも小さい。
【０１９３】
ヨウ素捕集シート２０は、高比表面積かつ微細な多数の細孔を有して放射性有機ヨウ素やガス状の放射性セシウムを捕集する複数の活性炭素繊維から作られた通気性を有する繊維不織布が使用されている。ヨウ素捕集シート２０を形成するそれら繊維不織布の製法は、図１のマスク１０Ａの第１の異物除去シート１９を形成する繊維不織布のそれと同一である。なお、ヨウ素捕集シート２０には、複数の活性炭素繊維から作られた織物または編み物を使用することもできる。
【０１９４】
ヨウ素捕集シート２０を作る活性炭素繊維の平均繊維径は、５〜２０μｍの範囲、好ましくは７〜１８μｍの範囲、より好ましくは１０〜１６μｍの範囲にある。ヨウ素捕集シート２０を作る活性炭素繊維の平均繊維径を前記範囲にする理由は、図１のマスク１０Ａのそれと同様である。ヨウ素捕集シート２０の目付は、５０〜２００ｇ／ｍ２の範囲、好ましくは７０〜１８０ｇ／ｍ２の範囲、より好ましくは８０〜１５０ｇ／ｍ２の範囲にある。ヨウ素捕集シート２０の目付を前記範囲にする理由は、図１のマスク１０Ａのそれと同様である。ヨウ素捕集シート２０の厚み寸法は、０．５〜３ｍｍの範囲、好ましくは１〜３ｍｍの範囲、より好ましくは２〜３ｍｍの範囲にある。ヨウ素捕集シート２０の厚み寸法を前記範囲にする理由は、図１のマスク１０Ａのそれと同様である。
【０１９５】
ヨウ素捕集シート２０では、その面速が１２〜２０ｃｍ／ｓｅｃの範囲、好ましくは１５〜２０ｃｍ／ｓｅｃの範囲にある。面速が１２ｃｍ／ｓｅｃ未満では、ヨウ素捕集シート２０における通気度が低く、マスク１０Ｄの通気性が低下してマスク１０Ｄを着用した着用者４０のスムーズな呼吸が害される場合がある。面速が２０ｃｍ／ｓｅｃを超過すると、着用者４０の呼吸によって空気を吸引したときに、ヨウ素捕集シート２０を通過する空気の速度が必要以上に速くなり、ヨウ素捕集シート２０に放射性有機ヨウ素を捕集かつ吸着させることができない場合がある。
【０１９６】
ヨウ素捕集シート２０を作るそれら活性炭素繊維には、放射性有機ヨウ素やガス状の放射性セシウムを吸着する吸着剤が添着されている。吸着剤には、ヨウ化カリウムとヨウ素酸カリウムとのうちの少なくとも一方、または、トリエチレンジアミンＣ６Ｈ１２Ｎ２（アミン類）が使用されている。なお、アミン類としては、トリエチレンジアミンＣ６Ｈ１２Ｎ２の他に、図１のマスク１０Ａにおいて例示したアミン類を使用することもできる。
【０１９７】
吸着剤としてヨウ化カリウムやヨウ素酸カリウムを使用する場合、活性炭素繊維の単位重量（ｋｇ）に対するヨウ化カリウムとヨウ素酸カリウムとの添着量は、１０〜２５重量％／ｋｇの範囲、好ましくは１５〜２５重量％／ｋｇの範囲、より好ましくは２０〜２５重量％／ｋｇの範囲にある。ヨウ化カリウムやヨウ素酸カリウムの添着量を前記範囲にする理由は、図１のマスク１０Ａのそれと同様である。ヨウ素捕集シート２０では、放射性有機ヨウ素やガス状の放射性セシウムが活性炭素繊維のミクロポアに捕集されるとともに、活性炭素繊維に添着されたヨウ化カリウムやヨウ素酸カリウムに放射性有機ヨウ素やガス状の放射性セシウムが吸着される。
【０１９８】
吸着剤としてトリエチレンジアミンＣ６Ｈ１２Ｎ２を使用する場合、活性炭素繊維の単位重量（ｋｇ）に対するトリエチレンジアミンＣ６Ｈ１２Ｎ２の添着量は、１０〜２０重量％／ｋｇの範囲、好ましくは１２〜１８重量％の範囲、より好ましくは１３〜１６重量％の範囲にある。トリエチレンジアミンＣ６Ｈ１２Ｎ２の添着量を前記範囲にする理由は、図１のマスク１０Ａのそれと同様である。ヨウ素捕集シート２０では、放射性有機ヨウ素やガス状の放射性セシウムが活性炭素繊維のミクロポアに捕集されるとともに、活性炭素繊維に添着されたトリエチレンジアミンＣ６Ｈ１２Ｎ２が放射性有機ヨウ素やガス状の放射性セシウムを吸着する。
【０１９９】
吸着剤としてヨウ化カリウムやヨウ素酸カリウムを使用した場合、空気の湿度９５％におけるヨウ素捕集シート２０の放射性有機ヨウ素除去効率は、８５〜９０％の範囲にある。また、吸着剤としてトリエチレンジアミンＣ６Ｈ１２Ｎ２を使用した場合、空気の湿度９５％におけるヨウ素捕集シート２０の放射性有機ヨウ素捕集効率は、９５％以上、好ましくは９７％以上、より好ましくは９９．９９９％以上である。このマスク１０Ｄのヨウ素捕集シート２０の放射性有機ヨウ素捕集効率は、図１のマスク１０Ａのヨウ素捕集シート２０と同様に、図５に示す試験装置を利用し、その測定結果に基づいて割り出した。
【０２００】
使い捨てマスク１０Ｄは、ヨウ素捕集シート２０を作る複数の活性炭素繊維が放射性有機ヨウ素を捕集し、それら活性炭素繊維に添着された吸着剤が放射性有機ヨウ素やガス状の放射性セシウムを吸着するから、空気中に放射性有機ヨウ素やガス状の放射性セシウムが含まれていたとしても、放射性有機ヨウ素や放射性セシウムがマスク１０Ｄに確実に捕集かつ吸着され、放射性有機ヨウ素や放射性セシウムが通過することはなく、マスク１０Ｄを着用した着用者４０の体内への放射性有機ヨウ素や放射性セシウムの進入を防ぐことができる。
【０２０１】
使い捨てマスク１０Ｄは、それが所定濃度の放射性有機ヨウ素やガス状の放射性セシウムを捕集・吸着した後、直ちに廃棄される使い捨てであり、活性炭素繊維に捕集されかつ吸着剤に吸着された放射性有機ヨウ素や放射性セシウムが活性炭素繊維や吸着剤から再び放出されることはなく、放射性有機ヨウ素や放射性セシウムのマスク１０Ｄから他所への拡散を防ぐことができるとともに、廃棄されたマスク１０Ｄに放射性有機ヨウ素を捕集・吸着させた状態でその半減期を安全に迎えることができる。
【０２０２】
使い捨てマスク１０Ｄは、放射性有機ヨウ素やガス状の放射性セシウムを捕集・吸着するのみならず、通常のマスク機能を備えており、第１および第２の異物除去シート１０，２１によって塵埃や花粉、雑菌、ウイルス等の異物が捕集されるから、ヨウ素捕集シート２０への塵埃や花粉の付着を防ぐことができるとともに、マスク１０Ａを着用した着用者４０の体内へのそれら異物の進入を防ぐことができる。なお、第１および第２の異物除去シート１９，２１を作る熱可塑性合成樹脂繊維がエレクトレット化され、それら異物除去シート１９，２１の静電作用によって異物除去シート１９，２１に進入した塵埃や花粉が異物除去シート１９，２１に効率よく捕集されるから、ヨウ素捕集シート２０への塵埃や花粉の付着を確実に防ぐことができ、着用者４０の体内への塵埃や花粉の進入を確実に防ぐことができる。
【０２０３】
使い捨てマスク１０Ｄは、第１および第２の異物除去シート１９，２１が複数の吸水性繊維を含有するから、それら異物除去シート１９，２１を通過する空気中に含まれる湿気や着用者４０の呼気に含まれる湿気が吸水性繊維に吸収され、捕集シート２０を作る活性炭素繊維の乾燥状態を維持することができ、活性炭素繊維に添着された吸着剤が空気中の湿気や着用者４０の呼気に含まれる湿気によって活性炭素繊維から脱落することはなく、湿気によって活性炭素繊維の表面がぬれることもなく、放射性有機ヨウ素に対する活性炭素繊維の捕集機能の低下を防ぐことができるとともに、放射性有機ヨウ素に対する吸着剤の吸着機能の低下を防ぐことができる。
【０２０４】
使い捨てマスク１０Ｄは、第１および第２の異物除去シート１０，２１が複数の抗菌性繊維を含有するから、異物除去シート１９，２１を通過する空気中に含まれる雑菌やウイルスが抗菌性繊維によって殺菌または除菌され、着用者４０の体内への雑菌やウイルスの進入を防ぐことができる。また、着用者４０の呼気に含まれる雑菌やウイルスが抗菌性繊維によって殺菌または除菌されるから、マスク１０Ｄの外部への雑菌やウイルスの放出を防ぐことができる。
【０２０５】
使い捨てマスク１０Ｄでは、第２の異物除去シート２１の面速が第１の異物除去シート１９やヨウ素捕集シート２０のそれよりも小さく、着用者４０が空気を吸引したときや空気をはき出すときに、マスク１０Ｄにおける空気の流動が第２の異物除去シート２１によって抑制され、吸引された空気やはき出された空気がヨウ素捕集シート２０全域に満遍なく通流し、ヨウ素捕集シート２０の一部を素早く通過することがなく、空気が第１の異物除去シート１９の一部を素早く通過することがないから、ヨウ素捕集シート２０に放射性有機ヨウ素やガス状の放射性セシウムを確実に捕集かつ吸着させることができ、空気に含まれる湿気を第１および第２の異物除去シート１９，２１に確実に吸収させることができる。
【０２０６】
図２５は、他の一例として示す使い捨てマスク１０Ｅの斜視図であり、図２６は、図２５のＦ−Ｆ線端面図である。図２７は、図２５のＧ−Ｇ線端面図である。図２５では、縦方向を矢印Ｌで示し、横方向を矢印Ｍで示す。使い捨てマスク１０Ｅは、着用者４０（図１２援用）の口および鼻孔の全体を覆うフィルタ部材１１と、着用者４０の両耳に掛ける耳掛け部材１２（装着部材）とを有する。フィルタ部材１１は、横方向へ延びる上端部１５および下端部１６と、縦方向へ延びる両側部１８とを有する。フィルタ部材１１の両側部１８は、横方向内方へ折り返され、縦方向へ線状または点状に延びる熱融着線によって熱融着（固着）されている（超音波シールまたはヒートシール）。フィルタ部材１１は、異物除去袋４１と、ヨウ素捕集シート２０とから形成されている。
【０２０７】
耳掛け部材１２は、伸縮性を有するゴム紐または布製の紐から作られ、着用者４０の左耳に掛ける第１耳掛け部材１２Ａと着用者４０の右耳に掛ける第２耳掛け部材１２Ｂとから形成されている。第１および第２耳掛け部材１２Ａ，１２Ｂは、フィルタ部材１１の両側部１８に連結されている。第１耳掛け部材１２Ａは、その連結端部１４がフィルタ部材１１の横方向内方へ折り返された側部１８に支持されている。第２耳掛け部材１２Ｂは、その連結端部１４がフィルタ部材１１の横方向内方へ折り返された側部１８に支持されている。
【０２０８】
異物除去袋４１は、着用者４０の肌側に位置する第１部分４１ａと、ヨウ素捕集シート２０の外側（着用者４０の非肌側）に位置する第２部分４１ｂとを有する。第１部分４１ａと第２部分４１ｂとは、略同形同大であり、所定の面積および所定の厚み寸法を有する略矩形のシート状に成型されている。異物除去袋４１では、その第１および第２部分４１ａ，４１ｂが互いに重なり合うように折り畳まれ、それら部分４１ａ，４１ｂの両側縁部が横方向へ線状または点状に延びる熱融着線によって熱融着（固着）され、それら部分４１ａ，４１ｂの下端部が線状または点状に延びる熱融着線によって熱融着（固着）されている（超音波シールまたはヒートシール）。
【０２０９】
ヨウ素捕集シート２０は、異物除去袋４１の第１および第２部分４１ａ，４１ｂよりもわずかに小さく、所定の面積および所定の厚み寸法を有する略矩形のシート状に成型されている。ヨウ素捕集シート２０は、異物除去袋４１の内部に収納され、その上下端縁や両側縁が異物除去袋４１から外側に露出することはなく、その全体が異物除去袋４１に包被されている。ヨウ素捕集シート２０は、その肌対向面の全域が異物除去袋４１の第１部分４１ａに被覆され、その非肌対向面の全域が異物除去袋４１の第２部分４１ｂに被覆されている。ヨウ素捕集シート２０は、異物除去袋４１に固定されておらず、異物除去袋４１の内部において遊動可能である。
【０２１０】
この使い捨てマスク１０Ｅを着用するには、それら耳掛け部材１２Ａ，１２Ｂの自由部１３を着用者４０の両耳に掛ける（図１３援用）。着用者４０がマスク１０Ｅを着用すると、フィルタ部材１１の上下端部１５，１６および両側部１８と第１および第２耳掛け部材１２Ａ，１２Ｂとが着用者４０の顔面に当接し、フィルタ部材１１が着用者４０の口および鼻孔の全体を覆う。使い捨てマスク１０Ｅでは、第１耳掛け部材１２Ａの自由部１３を右耳に掛け、第２耳掛け部材１２Ｂの自由部１３を左耳に掛けることで、マスク１０Ｅが着用者４０の顔面に固定され、着用者４０の顔面からのマスク１０Ｅの不用意なズレ動きや脱落が防止される。
【０２１１】
異物除去袋４１は、複数の熱可塑性合成樹脂繊維から作られた通気性を有するシート状の繊維不織布である。なお、異物除去袋４１としては、複数の熱可塑性合成樹脂繊維と複数の吸水性繊維と複数の抗菌性繊維とから作られた通気性を有する繊維不織布を使用することができ、または、複数の熱可塑性合成樹脂繊維と複数の吸水性繊維とから作られた通気性を有する繊維不織布を使用することができる。異物除去袋４１が吸水性繊維を含む繊維不織布である場合、異物除去袋４１の全重量に対する吸水性繊維の比率（割合）は、１０〜２０重量％の範囲、好ましくは、１５〜２０重量％の範囲にある。また、異物除去袋４１が抗菌性繊維を含む繊維不織布である場合、異物除去袋４１の全重量に対する抗菌性繊維の比率（割合）は、５〜１０重量％の範囲、好ましくは、７〜８重量％の範囲にある。
【０２１２】
異物除去袋４１を作る熱可塑性合成樹脂繊維の平均繊維径は、０．５〜５０μｍの範囲、好ましくは３〜３０μｍの範囲、より好ましくは５〜２０μｍの範囲にある。異物除去袋４１の目付は、１．５〜１００ｇ／ｍ２の範囲、好ましくは５〜８０ｇ／ｍ２の範囲にあり、より好ましくは１０〜６０ｇ／ｍ２の範囲にある。異物除去袋４１の厚み寸法は、０．２〜３ｍｍの範囲、好ましくは、１〜２ｍｍの範囲にある。異物除去袋４１では、その面速が８〜１６ｃｍ／ｓｅｃの範囲にある。異物除去袋４１の面速が８ｃｍ／ｓｅｃ未満では、異物除去袋４１における通気度が低く、マスク１０Ｅの通気性が低下してマスク１０Ｅを着用した着用者４０のスムーズな呼吸が害される場合がある。
【０２１３】
異物除去袋４１を形成するそれら繊維不織布の製法は、図１のマスク１０Ａの異物除去シート１９，２１を形成するそれら繊維不織布のそれと同一であり、熱可塑性合成樹脂繊維は、図１のマスク１０Ａの異物除去シート１９，２１を形成するそれら繊維不織布のそれと同一である。吸水性繊維は、図１のマスク１０Ａの第１の異物除去シート１９に使用されるそれと同一であり、抗菌性繊維は、図１のマスク１０Ａの第２の異物除去シート２１に使用されるそれと同一である。異物除去袋４１では、それらを作る熱可塑性合成樹脂繊維がエレクトレット化されている。
【０２１４】
ヨウ素捕集シート２０は、高比表面積かつ微細な多数の細孔を有して放射性有機ヨウ素やガス状の放射性セシウムを捕集する複数の活性炭素繊維から作られた通気性を有する繊維不織布が使用されている。ヨウ素捕集シート２０には、複数の活性炭素繊維から作られた織物または編み物を使用することもできる。ヨウ素捕集シート２０を作る活性炭素繊維の平均繊維径は、５〜２０μｍの範囲、好ましくは７〜１８μｍの範囲、より好ましくは１０〜１６μｍの範囲にある。ヨウ素捕集シート２０の目付は、５０〜２００ｇ／ｍ２の範囲、好ましくは７０〜１８０ｇ／ｍ２の範囲、より好ましくは８０〜１５０ｇ／ｍ２の範囲にある。ヨウ素捕集シート２０の厚み寸法は、０．５〜３ｍｍの範囲、好ましくは１〜３ｍｍの範囲、より好ましくは２〜３ｍｍの範囲にある。
【０２１５】
ヨウ素捕集シート２０では、その面速が１２〜２０ｃｍ／ｓｅｃの範囲、好ましくは１５〜２０ｃｍ／ｓｅｃの範囲にある。面速が１２ｃｍ／ｓｅｃ未満では、ヨウ素捕集シート２０における通気度が低く、マスク１０Ｅの通気性が低下してマスク１０Ｅを着用した着用者４０のスムーズな呼吸が害される場合がある。面速が２０ｃｍ／ｓｅｃを超過すると、着用者４０の呼吸によって空気を吸引したときに、ヨウ素捕集シート２０を通過する空気の速度が必要以上に速くなり、ヨウ素捕集シート２０に放射性有機ヨウ素を捕集かつ吸着させることができない場合がある。
【０２１６】
ヨウ素捕集シート２０を作るそれら活性炭素繊維には、放射性有機ヨウ素やガス状の放射性セシウムを吸着する吸着剤が添着されている。吸着剤には、ヨウ化カリウムとヨウ素酸カリウムとのうちの少なくとも一方、または、トリエチレンジアミンＣ６Ｈ１２Ｎ２（アミン類）が使用されている。なお、アミン類としては、トリエチレンジアミンＣ６Ｈ１２Ｎ２の他に、図１のマスク１０Ａにおいて例示したアミン類を使用することもできる。
【０２１７】
吸着剤としてヨウ化カリウムやヨウ素酸カリウムを使用する場合、活性炭素繊維の単位重量（ｋｇ）に対するヨウ化カリウムとヨウ素酸カリウムとの添着量は、１０〜２５重量％／ｋｇの範囲、好ましくは１５〜２５重量％／ｋｇの範囲、より好ましくは２０〜２５重量％／ｋｇの範囲にある。ヨウ素捕集シート２０では、放射性有機ヨウ素が活性炭素繊維やガス状の放射性セシウムのミクロポアに捕集されるとともに、活性炭素繊維に添着されたヨウ化カリウムやヨウ素酸カリウムに放射性有機ヨウ素やガス状の放射性セシウムが吸着される。
【０２１８】
吸着剤としてトリエチレンジアミンＣ６Ｈ１２Ｎ２を使用する場合、活性炭素繊維の単位重量（ｋｇ）に対するトリエチレンジアミンＣ６Ｈ１２Ｎ２の添着量は、１０〜２０重量％／ｋｇの範囲、好ましくは１２〜１８重量％の範囲、より好ましくは１３〜１６重量％の範囲にある。ヨウ素捕集シート２０では、放射性有機ヨウ素が活性炭素繊維やガス状の放射性セシウムのミクロポアに捕集されるとともに、活性炭素繊維に添着されたトリエチレンジアミンＣ６Ｈ１２Ｎ２が放射性有機ヨウ素やガス状の放射性セシウムを吸着する。
【０２１９】
吸着剤としてヨウ化カリウムやヨウ素酸カリウムを使用した場合、空気の湿度９５％におけるヨウ素捕集シート２０の放射性有機ヨウ素除去効率は、８５〜９０％の範囲にある。また、吸着剤としてトリエチレンジアミンＣ６Ｈ１２Ｎ２を使用した場合、空気の湿度９５％におけるヨウ素捕集シート２０の放射性有機ヨウ素捕集効率は、９５％以上、好ましくは９７％以上、より好ましくは９９．９９９％以上である。このマスク１０Ｃのヨウ素捕集シート２０の放射性有機ヨウ素捕集効率は、図１のマスク１０Ａのヨウ素捕集シート２０と同様に、図５に示す試験装置を利用し、その測定結果に基づいて割り出した。
【０２２０】
使い捨てマスク１０Ｅは、ヨウ素捕集シート２０を作る複数の活性炭素繊維が放射性有機ヨウ素やガス状の放射性セシウムを捕集し、それら活性炭素繊維に添着された吸着剤が放射性有機ヨウ素やガス状の放射性セシウムを吸着するから、空気中に放射性有機ヨウ素や放射性セシウムが含まれていたとしても、放射性有機ヨウ素や放射性セシウムがマスク１０Ｅに確実に捕集かつ吸着され、放射性有機ヨウ素や放射性セシウムが通過することはなく、マスク１０Ｅを着用した着用者４０の体内への放射性有機ヨウ素や放射性セシウムの進入を防ぐことができる。
【０２２１】
使い捨てマスク１０Ｅは、それが所定濃度の放射性有機ヨウ素やガス状の放射性セシウムを捕集・吸着した後、直ちに廃棄される使い捨てであり、活性炭素繊維に捕集されかつ吸着剤に吸着された放射性有機ヨウ素や放射性セシウムが活性炭素繊維や吸着剤から再び放出されることはなく、放射性有機ヨウ素や放射性セシウムのマスク１０Ｅから他所への拡散を防ぐことができるとともに、廃棄されたマスク１０Ｅに放射性有機ヨウ素を捕集・吸着させた状態でその半減期を安全に迎えることができる。
【０２２２】
使い捨てマスク１０Ｅは、放射性有機ヨウ素やガス状の放射性セシウムを捕集・吸着するのみならず、通常のマスク機能を備えており、異物除去袋４１によって塵埃や花粉、雑菌、ウイルス等の異物が捕集されるから、ヨウ素捕集シート２０への塵埃や花粉の付着を防ぐことができるとともに、マスク１０Ｅを着用した着用者４０の体内へのそれら異物の進入を防ぐことができる。なお、異物除去袋４１を作る熱可塑性合成樹脂繊維がエレクトレット化され、異物除去袋４１の静電作用によって異物除去袋４１に進入した塵埃や花粉が異物除去袋４１に効率よく捕集されるから、ヨウ素捕集シート２０への塵埃や花粉の付着を確実に防ぐことができ、着用者４０の体内への塵埃や花粉の進入を確実に防ぐことができる。
【０２２３】
使い捨てマスク１０Ｅは、異物除去袋４１が複数の吸水性繊維を含有する場合、異物除去袋４１を通過する空気中に含まれる湿気や着用者４０の呼気に含まれる湿気が吸水性繊維に吸収され、捕集シート２０を作る活性炭素繊維の乾燥状態を維持することができ、活性炭素繊維に添着された吸着剤が空気中の湿気や着用者４０の呼気に含まれる湿気によって活性炭素繊維から脱落することはなく、湿気によって活性炭素繊維の表面がぬれることもなく、放射性有機ヨウ素に対する活性炭素繊維の捕集機能の低下を防ぐことができるとともに、放射性有機ヨウ素に対する吸着剤の吸着機能の低下を防ぐことができる。
【０２２４】
使い捨てマスク１０Ｅは、異物除去袋４１が複数の抗菌性繊維を含有する場合、異物除去袋４１を通過する空気中に含まれる雑菌やウイルスが抗菌性繊維によって殺菌または除菌され、着用者４０の体内への雑菌やウイルスの進入を防ぐことができる。また、着用者４０の呼気に含まれる雑菌やウイルスが抗菌性繊維によって殺菌または除菌されるから、マスク１０Ｅの外部への雑菌やウイルスの放出を防ぐことができる。
【０２２５】
図２８は、図１６のヨウ素捕集シート２０を使用したマスク１０Ｅの図２６と同様の端面図であり、図２９は、図１６のヨウ素捕集シート２０を使用したマスク１０Ｅの図２７と同様の端面図である。ヨウ素捕集シート２０は、放射性有機ヨウ素やガス状の放射性セシウムを捕集する複数の活性炭素繊維から作られた通気性を有する繊維不織布であり、横方向へ長い略矩形のシート状に成型されており、さらに、横方向へ起伏を繰り返すようにジグザグに整然と折り曲げられている（折り畳まれている）。ヨウ素捕集シート２０は、縦方向へ延びるとともに横方向へ略等間隔で並ぶ複数の山部３０と複数の谷部３１とを有する。ヨウ素捕集シート２０を作る活性炭素繊維には、既述の吸着剤が添着されている。
【０２２６】
ヨウ素捕集シート２０の横方向への折り曲げ回数は、シート２０の横方向の長さ寸法１ｃｍに対して１０〜４０回の範囲、好ましくは２０〜３０回の範囲にある。このヨウ素捕集シート２０の山部３０から谷部３１までの高さ寸法は、０．５〜３ｍｍの範囲にある。なお、折り曲げる前のヨウ素捕集シート２０の１枚の目付や厚み寸法、面速は、図２５の使い捨てマスク１０Ｅに使用するヨウ素捕集シート２０のそれらと同一である。また、ヨウ素捕集シート２０が縦方向へ起伏を繰り返すようにジグザグに整然と折り曲げられ（折り畳まれ）、横方向へ延びるとともに縦方向へ等間隔で並ぶ複数の山部３０と複数の谷部３１とを有するものであってもよい。この場合、縦方向への折り曲げ回数は、シート２０の縦方向の長さ寸法１ｃｍに対して１０〜４０回の範囲、好ましくは２０〜３０回の範囲にある。
【０２２７】
ヨウ素捕集シート２０は、異物除去袋４１の内部に収納され、その上下端縁や両側縁が異物除去袋４１から外側に露出することはなく、その全体が異物除去袋４１に包被されている。ヨウ素捕集シート２０は、その肌対向面の全域が異物除去袋４１の第１部分４１ａに被覆され、その非肌対向面の全域が異物除去袋４１の第２部分４１ｂに被覆されている。ヨウ素捕集シート２０は、異物除去袋４１に固定されておらず、異物除去袋４１の内部において遊動可能である。
【０２２８】
このヨウ素捕集シート２０は、それが横方向（または縦方向）へ前記範囲の折り曲げ回数で折り曲げされているから、折り曲げられていない（折り畳まれていない）シート２０と比較し、シート２０の表面積が増加し、その分空気が活性炭素繊維に多く接触し、放射性有機ヨウ素の捕集・吸着機能を向上させることができる。その結果、マスク１０Ｅにおける放射性有機ヨウ素の捕集・吸着機能を向上させることができ、マスク１０Ｅに放射性有機ヨウ素を確実に捕集・吸着させることができる。
【０２２９】
図２８，２９のヨウ素捕集シート２０を使用したマスク１０Ｅでは、ヨウ素捕集シート２０を折り曲げることで、折り曲げないヨウ素捕集シート２０と比較し、ヨウ素捕集シート２０の嵩を稼ぐことができ、その分ヨウ素捕集シート２０の目付や表面積を増加させることができるから、ヨウ素捕集シート２０を作る複数の活性炭素繊維に放射性有機ヨウ素やガス状の放射性セシウムを確実に捕集させることができ、それら活性炭素繊維に添着された吸着剤に放射性有機ヨウ素やガス状の放射性セシウムを確実に吸着させることができる。マスク１０Ｅは、空気中に放射性有機ヨウ素やガス状の放射性セシウムが含まれていたとしても、放射性有機ヨウ素や放射性セシウムがマスク１０Ｅに確実に捕集かつ吸着され、放射性有機ヨウ素や放射性セシウムが通過することはなく、マスク１０Ｅを着用した着用者４０の体内への放射性有機ヨウ素や放射性セシウムの進入を防ぐことができる。
【０２３０】
図３０は、他の一例として示す使い捨てマスク１０Ｆの正面斜視図であり、図３１は、図３０の使い捨てマスク１０Ｆの背面斜視図である。図３２は、着用状態で示すマスク１０Ｆの斜視図であり、図３３は、図３０のＨ−Ｈ線端面図である。図３４は、図３０のＩ−Ｉ線端面図である。図３０では、縦方向を矢印Ｌで示し、横方向を矢印Ｍで示す。使い捨てマスク１０Ｆは、着用者４０の口および鼻孔の全体を覆うフィルタ部材１１と、着用者４０の頭部に掛ける装着部材１２とを有する。フィルタ部材１１は、着用者４０がマスク１０Ａを着用したときに、着用者４０の顔面から前方へ凸となる立体形状（立体構造）に成形されている。
【０２３１】
フィルタ部材１１は、横方向へ延びる上端部１５および下端部１６と、縦方向へ延びる外端部（両側部）１８とを有する。フィルタ部材１１は、着用者４０の肌側に位置する第１の異物除去シート１９（肌当接シート）と、第１の異物除去シート１９の外側に位置するヨウ素捕集シート２０と、ヨウ素捕集シート２０の外側（着用者４０の非肌側）に位置する第２の異物除去シート２１（肌非当接シート）とから１形成されている。
【０２３２】
装着部材１２は、伸縮性を有する細長いゴム紐から作られ、着用者４０の頭部に掛ける第１装着部材１２Ａと、第１装着部材１２Ａの下方に位置して着用者４０の頭部に掛ける第２装着部材１２Ｂとから形成されている。第１および第２装着部材１２Ａ，１２Ｂは、それらの連結端部１４が第２の異物除去シート２１に連結されている。第１および第２装着部材１２Ａ，１２Ｂの連結端部１４は、第２の異物除去シート２１の肌非対向面に重なり、熱融着部を介してシート２１に熱融着（固着）されている（超音波シールまたはヒートシール）。
【０２３３】
第１の異物除去シート１９は、所定の面積および所定の厚み寸法を有するシート状に成型（立体裁断）されている。第１の異物除去シート１９には、その下端部の横方向中央から上端部の横方向中央に向かってシート１９の中央部に達する裁断線（図示せず）が延びている。ヨウ素捕集シート２０は、第１の異物除去シート１９や第２の異物除去シート２１と略同形同大であり、所定の面積および所定の厚み寸法を有する略矩形のシート状に成型（立体裁断）されている。ヨウ素捕集シート２０には、その下端部の横方向中央から上端部の横方向中央に向かってシート２０の中央部に達する裁断線（図示せず）が延びている。第２の異物除去シート２１は、第１の異物除去シート１９と略同形同大であり、所定の面積および所定の厚み寸法を有するシート状に成型（立体裁断）されている。第２の異物除去シート２１には、その下端部の横方向中央から上端部の横方向中央に向かってシート２１の中央部に達する裁断線（図示せず）が延びている。
【０２３４】
第１の異物除去シート１９とヨウ素捕集シート２０と第２の異物除去シート２１とは、それらシート１９〜２１の上端部（上端部１５）が重なり合い、それらシート１９〜２１の上端部が横方向へ線状または点状に延びる熱融着部４２によって熱融着（固着）され、それらシート１９〜２１の下端部（下端部１６）が重なり合い、それらシート１９〜２１の下端部が横方向へ線状または点状に延びる熱融着部４２によって熱融着（固着）されている。第１の異物除去シート１９とヨウ素捕集シート２０と第２の異物除去シート２１とは、それらシート１９〜２１の外端部（外端部１８）が重なり合い、それらシート１９〜２１の外端部が縦方向へ線状または点状に延びる熱融着部４２によって熱融着（固着）され、それらシート１９〜２１の裁断線近傍が重なり合い、それらシート１９〜２１の裁断線近傍が縦方向へ線状または点状に延びる熱融着部４２によって熱融着（固着）されている。それらシート１９〜２１は、超音波シールやヒートシールによって融着されている。
【０２３５】
この使い捨てマスク１０Ｆを着用するには、それら耳掛け部材１２Ａ，１２Ｂの自由部１３を着用者４０の頭部に掛ける（図３２参照）。着用者４０がマスク１０Ｆを着用すると、フィルタ部材１１の上下端部１５，１６および外端部１８とが着用者４０の顔面に当接し、第１および第２装着部材１２Ａ，１２Ｂが着用者４０の頭部に当接（密着）し、フィルタ部材１１が着用者４０の口および鼻孔の全体を覆う。使い捨てマスク１０Ｆでは、第１および第２装着部材１２Ａ，１２Ｂの自由部１３を頭部に掛けることで、マスク１０Ｆが着用者４０の顔面に固定され、着用者４０の顔面からのマスク１０Ｆの不用意なズレ動きや脱落が防止される。
【０２３６】
着用者４０は、マスク１０Ｆを着用した状態で、放射性有機ヨウ素（ヨウ素ガス）が発生するおそれがある原子力関連施設や医療施設等の作業空間に入り、作業を行う。また、事故によって放射性有機ヨウ素やガス状の放射性セシウムが大気に放出された場合、その放射性有機ヨウ素や放射性セシウムによって汚染されるおそれがある地域の住人（着用者４０）がマスク１０Ｆを着用し、その地域で生活を行いながら放射性有機ヨウ素の半減期を待つ。
【０２３７】
第１の異物除去シート１９は、複数の熱可塑性合成樹脂繊維から作られた通気性を有する繊維不織布１９ａ〜１９ｄから形成されている。第１の異物除去シート１９では、着用者４０の肌側からヨウ素捕集シート２０に向かって繊維不織布１９ａ→繊維不織布１９ｂ→繊維不織布１９ｃ→繊維不織布１９ｄの順に並んでいる。それら繊維不織布は、それらの肌対向面と肌非対向面とが互いに重なり合っている。それら繊維不織布の面どうしは固着されていない。繊維不織布１９ｂには、複数の熱可塑性合成樹脂繊維と複数の吸水性繊維と複数の抗菌性繊維とから作られた通気性を有する繊維不織布を使用することができ、または、複数の熱可塑性合成樹脂繊維と複数の吸水性繊維から作られた通気性を有する繊維不織布を使用することができ、あるいは、複数の熱可塑性合成樹脂繊維と複数の抗菌性繊維とから作られた通気性を有する繊維不織布を使用することができる。繊維不織布１９ｃと繊維不織布１９ｄとは、それらを作る熱可塑性合成樹脂繊維がエレクトレット化されている。
【０２３８】
第１の異物除去シート１９を形成するそれら繊維不織布１９ａ〜１９ｄの製法は、図１のマスク１０Ａの第１の異物除去シート１９を形成するそれら繊維不織布のそれと同一であり、熱可塑性合成樹脂繊維は、図１のマスク１０Ａの第１の異物除去シート１９を形成するそれら繊維不織布のそれと同一である。吸水性繊維は、図１のマスク１０Ａの第１の異物除去シート１９に使用されるそれと同一であり、抗菌性繊維は、図１のマスク１０Ａの第２の異物除去シート２１に使用されるそれと同一である。
【０２３９】
繊維不織布１９ｂが吸水性繊維を含む場合、繊維不織布１９ｂの全重量に対する吸水性繊維の比率（割合）は、１０〜２０重量％の範囲、好ましくは、１５〜２０重量％の範囲にある。吸水性繊維の比率を前記範囲にする理由は、図１のマスク１０Ａのそれと同様である。第１の異物除去シート１９は、繊維不織布１９ｂが熱可塑性合成樹脂繊維の他に吸水性繊維を前記比率で含んでいるから、優れた湿気（水分）吸収機能を有する。また、繊維不織布１９ｂが抗菌性繊維を含む場合、繊維不織布１９ｂの全重量に対する抗菌性繊維の比率（割合）は、５〜１０重量％の範囲、好ましくは、７〜８重量％の範囲にある。抗菌性繊維の比率を前記範囲にする理由は、図１のマスク１０Ａのそれと同様である。第１の異物除去シート１９は、繊維不織布１９ｂが熱可塑性合成樹脂繊維の他に抗菌性繊維を前記比率で含むから、優れた抗菌作用および抗ウイルス作用を有する。
【０２４０】
繊維不織布１９ａ〜１９ｄを作る熱可塑性合成樹脂繊維の平均繊維径は、３〜５０μｍの範囲、好ましくは１０〜５０μｍの範囲、より好ましくは２０〜５０μｍの範囲にある。繊維不織布１９ａ〜１９ｄの目付は、１．５〜５０ｇ／ｍ２の範囲、好ましくは１．５〜３０ｇ／ｍ２の範囲にあり、より好ましくは１．５〜２０ｇ／ｍ２の範囲にある。繊維不織布１９ｂの目付は、繊維不織布１９ａ，１９ｃ，１９ｄのそれよりも大きい。繊維不織布１９ａ〜１９ｄの厚み寸法は、０．２〜３ｍｍの範囲、好ましくは、０．２〜２ｍｍの範囲、より好ましくは、０．２〜１ｍｍの範囲にある。繊維不織布１９ｂの厚み寸法は、繊維不織布１９ａ，１９ｃ，１９ｄのそれよりも大きい。
【０２４１】
第１の異物除去シート１９では、その面速が１０〜１６ｃｍ／ｓｅｃの範囲にある。第１の異物除去シート１９の面速が１０ｃｍ／ｓｅｃ未満では、異物除去シート１９における通気度が低く、マスク１０Ｆの通気性が低下してマスク１０Ｆを着用した着用者４０のスムーズな呼吸が害される場合がある。面速が１６ｃｍ／ｓｅｃを超過すると、着用者４０の呼吸によって空気を吸引したときに、異物除去シート１９を通過する空気の速度が必要以上に速くなり、異物除去シート１０に異物を十分に捕集させることができない場合があり、異物除去シート１０に湿気（水分）を吸収させることができない場合がある。
【０２４２】
第２の異物除去シート２１には、複数の熱可塑性合成樹脂繊維から作られた通気性を有する繊維不織布が使用されている。第２の異物除去シート２１を形成するそれら繊維不織布の製法は、図１のマスク１０Ａの第１の異物除去シート１９を形成するそれら繊維不織布のそれと同一であり、熱可塑性合成樹脂繊維は、図１のマスク１０Ａの第１の異物除去シート１９を形成するそれら繊維不織布のそれと同一である。
【０２４３】
第２の異物除去シート２１を作る熱可塑性合成樹脂繊維の平均繊維径は、０．５〜３０μｍの範囲、好ましくは０．５〜１５μｍ、より好ましくは０．５〜１０μｍの範囲にある。第２の異物除去シート２１の目付は、１０〜１００ｇ／ｍ２の範囲、好ましくは３０〜１００ｇ／ｍ２の範囲にあり、より好ましくは５０〜１００ｇ／ｍ２の範囲にある。第２の異物除去シート２１の厚み寸法は、０．５〜３ｍｍの範囲、好ましくは１〜３ｍｍの範囲、より好ましくは２〜３ｍｍの範囲にある。
【０２４４】
第２の異物除去シート２１では、その面速が８〜１２ｃｍ／ｓｅｃの範囲にある。第２の異物除去シート２１の面速が８ｃｍ／ｓｅｃ未満では、異物除去シート２１における通気度が低く、マスク１０Ｆの通気性が低下してマスク１０Ｆを着用した着用者４０のスムーズな呼吸が害される場合がある。面速が１２ｃｍ／ｓｅｃを超過すると、着用者４０の呼吸によって空気を吸引したときに、異物除去シート２１を通過する空気の速度が必要以上に速くなり、異物除去シート２１に塵埃や花粉等の異物を吸着させることができない場合がある。
【０２４５】
ヨウ素捕集シート２０は、高比表面積かつ微細な多数の細孔を有して放射性有機ヨウ素やガス状の放射性セシウムを捕集する複数の活性炭素繊維から作られた通気性を有する繊維不織布、活性炭素繊維から作られた通気性を有する織物、活性炭素繊維から作られた通気性を有する編み物が使用されている。ヨウ素捕集シート２０を形成するそれら繊維不織布の製法は、図１のマスク１０Ａの第１の異物除去シート１９を形成する繊維不織布のそれと同一である。
【０２４６】
ヨウ素捕集シート２０を作る活性炭素繊維の平均繊維径は、５〜２０μｍの範囲、好ましくは７〜１８μｍの範囲、より好ましくは１０〜１６μｍの範囲にある。ヨウ素捕集シート２０を作る活性炭素繊維の平均繊維径を前記範囲にする理由は、図１のマスク１０Ａのそれと同様である。ヨウ素捕集シート２０の目付は、５０〜２００ｇ／ｍ２の範囲、好ましくは７０〜１８０ｇ／ｍ２の範囲、より好ましくは８０〜１５０ｇ／ｍ２の範囲にある。ヨウ素捕集シート２０の目付を前記範囲にする理由は、図１のマスク１０Ａのそれと同様である。ヨウ素捕集シート２０の厚み寸法は、０．５〜３ｍｍの範囲、好ましくは１〜３ｍｍの範囲、より好ましくは２〜３ｍｍの範囲にある。ヨウ素捕集シート２０の厚み寸法を前記範囲にする理由は、図１のマスク１０Ａのそれと同様である。
【０２４７】
ヨウ素捕集シート２０では、その面速が１２〜２０ｃｍ／ｓｅｃの範囲、好ましくは１５〜２０ｃｍ／ｓｅｃの範囲にある。面速が１２ｃｍ／ｓｅｃ未満では、ヨウ素捕集シート２０における通気度が低く、マスク１０Ｆの通気性が低下してマスク１０Ｆを着用した着用者４０のスムーズな呼吸が害される場合がある。面速が２０ｃｍ／ｓｅｃを超過すると、着用者４０の呼吸によって空気を吸引したときに、ヨウ素捕集シート２０を通過する空気の速度が必要以上に速くなり、ヨウ素捕集シート２０に放射性有機ヨウ素を捕集かつ吸着させることができない場合がある。
【０２４８】
ヨウ素捕集シート２０を作るそれら活性炭素繊維には、放射性有機ヨウ素やガス状の放射性セシウムを吸着する吸着剤が添着されている。吸着剤には、ヨウ化カリウムとヨウ素酸カリウムとのうちの少なくとも一方、または、トリエチレンジアミンＣ６Ｈ１２Ｎ２（アミン類）が使用されている。なお、アミン類としては、トリエチレンジアミンＣ６Ｈ１２Ｎ２の他に、図１のマスク１０Ａにおいて例示したアミン類を使用することもできる。
【０２４９】
吸着剤としてヨウ化カリウムやヨウ素酸カリウムを使用する場合、活性炭素繊維の単位重量（ｋｇ）に対するヨウ化カリウムとヨウ素酸カリウムとの添着量は、１０〜２５重量％／ｋｇの範囲、好ましくは１５〜２５重量％／ｋｇの範囲、より好ましくは２０〜２５重量％／ｋｇの範囲にある。ヨウ化カリウムやヨウ素酸カリウムの添着量を前記範囲にする理由は、図１のマスク１０Ａのそれと同様である。ヨウ素捕集シート２０では、放射性有機ヨウ素が活性炭素繊維やガス状の放射性セシウムのミクロポアに捕集されるとともに、活性炭素繊維に添着されたヨウ化カリウムやヨウ素酸カリウムに放射性有機ヨウ素やガス状の放射性セシウムが吸着される。
【０２５０】
吸着剤としてトリエチレンジアミンＣ６Ｈ１２Ｎ２を使用する場合、活性炭素繊維の単位重量（ｋｇ）に対するトリエチレンジアミンＣ６Ｈ１２Ｎ２の添着量は、１０〜２０重量％／ｋｇの範囲、好ましくは１２〜１８重量％の範囲、より好ましくは１３〜１６重量％の範囲にある。トリエチレンジアミンＣ６Ｈ１２Ｎ２の添着量を前記範囲にする理由は、図１のマスク１０Ａのそれと同様である。ヨウ素捕集シート２０では、放射性有機ヨウ素やガス状の放射性セシウムが活性炭素繊維のミクロポアに捕集されるとともに、活性炭素繊維に添着されたトリエチレンジアミンＣ６Ｈ１２Ｎ２が放射性有機ヨウ素やガス状の放射性セシウムを吸着する。
【０２５１】
吸着剤としてヨウ化カリウムやヨウ素酸カリウムを使用した場合、空気の湿度９５％におけるヨウ素捕集シート２０の放射性有機ヨウ素除去効率は、８５〜９０％の範囲にある。また、吸着剤としてトリエチレンジアミンＣ６Ｈ１２Ｎ２を使用した場合、空気の湿度９５％におけるヨウ素捕集シート２０の放射性有機ヨウ素捕集効率は、９５％以上、好ましくは９７％以上、より好ましくは９９．９９９％以上である。このマスク１０Ｆのヨウ素捕集シート２０の放射性有機ヨウ素捕集効率は、図１のマスク１０Ａのヨウ素捕集シート２０と同様に、図５に示す試験装置を利用し、その測定結果に基づいて割り出した。
【０２５２】
マスク１０Ｆにおける熱融着部４２では、第２の異物除去シート２１を形成する繊維不織布（熱可塑性合成樹脂繊維）が超音波シールやヒートシールによって溶融し、溶融した繊維不織布がヨウ素捕集シート２０を形成する活性炭素繊維の繊維間隙に流入している。さらに、第１の異物除去シート１９を形成する繊維不織布１９ａ〜１９ｄ（熱可塑性合成樹脂繊維）が超音波シールやヒートシールによって溶融し、溶融した繊維不織布がヨウ素捕集シート２０を形成する活性炭素繊維の繊維間隙に流入している。なお、活性炭素繊維から作られたヨウ素捕集シート２０は熱融着部４２において溶融せず、繊維形態を保持している。
【０２５３】
熱融着部４２では、活性炭素繊維の繊維間隙に流入（進入）した繊維不織布（シート２１）が硬化することによって、繊維不織布が活性炭素繊維に引っ掛かり、溶融した繊維不織布のアンカー効果によってシート２０とシート２１とが固着され、活性炭素繊維の繊維間隙に流入（進入）した繊維不織布１９ａ〜１９ｄ（シート１９）が硬化することによって、繊維不織布１９ａ〜１９ｄが活性炭素繊維に引っ掛かり、溶融した繊維不織布１９ａ〜１９ｄのアンカー効果によってシート１９とシート２０とが固着されている。さらに、超音波シールやヒートシール中に活性炭素繊維の繊維間隙に流入（進入）した繊維不織布（シート２１）および繊維不織布１９ａ〜１９ｄどうしが繊維間隙において連結され、シート１９とシート２１とが固着され、その結果として、シート１９とシート２１との間に挟まれたシート２０がシート１９，２１に固着されている。マスク１０Ｆでは、超音波シールやヒートシールによってヨウ素捕集シート２０が流動性を示さないが、溶融した繊維不織布（シート２１）や繊維不織布１９ａ〜１９ｄによってシート２０をシート１９とシート２１との間に固定させることができる。
【０２５４】
使い捨てマスク１０Ｆは、ヨウ素捕集シート２０を作る複数の活性炭素繊維が放射性有機ヨウ素やガス状の放射性セシウムを捕集し、それら活性炭素繊維に添着された吸着剤が放射性有機ヨウ素やガス状の放射性セシウムを吸着するから、空気中に放射性有機ヨウ素や放射性セシウムが含まれていたとしても、放射性有機ヨウ素や放射性セシウムがマスク１０Ｆに確実に捕集かつ吸着され、放射性有機ヨウ素や放射性セシウムが通過することはなく、マスク１０Ｆを着用した着用者４０の体内への放射性有機ヨウ素や放射性セシウムの進入を防ぐことができる。
【０２５５】
使い捨てマスク１０Ｆは、それが所定濃度の放射性有機ヨウ素やガス状の放射性セシウムを捕集・吸着した後、直ちに廃棄される使い捨てであり、活性炭素繊維に捕集されかつ吸着剤に吸着された放射性有機ヨウ素や放射性セシウムが活性炭素繊維や吸着剤から再び放出されることはなく、放射性有機ヨウ素や放射性セシウムのマスク１０Ｆから他所への拡散を防ぐことができるとともに、廃棄されたマスク１０Ｆに放射性有機ヨウ素を捕集・吸着させた状態でその半減期を安全に迎えることができる。
【０２５６】
使い捨てマスク１０Ｆは、放射性有機ヨウ素やガス状の放射性セシウムを捕集・吸着するのみならず、通常のマスク機能を備えており、第１および第２の異物除去シート１９，２１（特に第１の異物除去シート１９のエレクトリック化繊維不織布１９ｃおよび繊維不織布１９ｄ）によって塵埃や花粉、雑菌、ウイルス等の異物が捕集されるから、ヨウ素捕集シート２０への塵埃や花粉の付着を防ぐことができるとともに、マスク１０Ｆを着用した着用者４０の体内へのそれら異物の進入を確実に防ぐことができる。
【０２５７】
使い捨てマスク１０Ｆは、第１の異物除去シート１９の不織布に吸水性繊維を含む場合、異物除去シート１９を通過する着用者４０の呼気に含まれる湿気が吸水性繊維に吸収され、捕集シート２０を作る活性炭素繊維の乾燥状態を維持することができ、活性炭素繊維に添着された吸着剤が着用者４０の呼気に含まれる湿気によって活性炭素繊維から脱落することはなく、湿気によって活性炭素繊維の表面がぬれることもなく、放射性有機ヨウ素に対する活性炭素繊維の捕集機能の低下を防ぐことができるとともに、放射性有機ヨウ素に対する吸着剤の吸着機能の低下を防ぐことができる。
【０２５８】
使い捨てマスク１０Ｆは、第１の異物除去シート１９の不織布に抗菌性繊維を含まれる場合、異物除去シート１９を通過する空気中に含まれる雑菌やウイルスが抗菌性繊維によって殺菌または除菌され、着用者４０の体内への雑菌やウイルスの進入を防ぐことができる。また、着用者４０の呼気に含まれる雑菌やウイルスが抗菌性繊維によって殺菌または除菌されるから、マスク１０Ｆの外部への雑菌やウイルスの放出を防ぐことができる。
【符号の説明】
【０２５９】
１０Ａ  使い捨てマスク
１０Ｂ  使い捨てマスク
１０Ｃ  使い捨てマスク
１０Ｄ  使い捨てマスク
１０Ｅ  使い捨てマスク
１０Ｆ  使い捨てマスク
１１    フィルタ部材
１１Ａ  第１フィルタ部材
１１Ｂ  第２フィルタ部材
１２    耳掛け部材（装着部材）
１２Ａ  第１耳掛け部材（装着部材）
１２Ｂ  第２耳掛け部材（装着部材）
１３    自由部
１４    連結部
１５    上端部
１６    下端部
１７    内端部
１８    外端部（両側部）
１９    第１の異物除去シート
１９ａ  第１の異物除去シート（繊維不織布）
１９ｂ  第１の異物除去シート（繊維不織布）
２０    ヨウ素捕集シート
２０ａ  ヨウ素捕集シート
２０ｂ  ヨウ素捕集シート
２１    第２の異物除去シート
２１ａ  第２の異物除去シート（繊維不織布）
２１ｂ  第２の異物除去シート（繊維不織布）
２３    下端部
２４    下端部
２５    外端部（両側部）
２６    外端部（両側部）
２７    上端部
２８    上端部
２９    ポケット
３０    山部
３１    谷部
３２    パッド部材
３３    中央部
３４    周縁部
３５    周縁部
３６    周縁部
４０    着用者
４１    異物除去袋
４１ａ  第１部分
４１ｂ  第２部分
４２    熱融着部
【図１】
2014073358.tif 000003
【図２】
2014073358.tif 000004
【図３】
2014073358.tif 000005
【図４】
2014073358.tif 000006
【図５】
2014073358.tif 000007
【図６】
2014073358.tif 000008
【図７】
2014073358.tif 000009
【図８】
2014073358.tif 000010
【図９】
2014073358.tif 000011
【図１０】
2014073358.tif 000012
【図１１】
2014073358.tif 000013
【図１２】
2014073358.tif 000014
【図１３】
2014073358.tif 000015
【図１４】
2014073358.tif 000016
【図１５】
2014073358.tif 000017
【図１６】
2014073358.tif 000018
【図１７】
2014073358.tif 000019
【図１８】
2014073358.tif 000020
【図１９】
2014073358.tif 000021
【図２０】
2014073358.tif 000022
【図２１】
2014073358.tif 000023
【図２２】
2014073358.tif 000024
【図２３】
2014073358.tif 000025
【図２４】
2014073358.tif 000026
【図２５】
2014073358.tif 000027
【図２６】
2014073358.tif 000028
【図２７】
2014073358.tif 000029
【図２８】
2014073358.tif 000030
【図２９】
2014073358.tif 000031
【図３０】
2014073358.tif 000032
【図３１】
2014073358.tif 000033
【図３２】
2014073358.tif 000034
【図３３】
2014073358.tif 000035
【図３４】
2014073358.tif 000036